(57)【要約】【課題】  広角のＯＣＴデータを良好な信号強度にて取得できるＯＣＴ装置を提供する。【解決手段】  ＯＣＴ装置であって、ＯＣＴ光学系は、測定光が眼底上を横断する一つの横断方向に関して広角領域に測定光を導くＯＣＴ光学系であって、眼底中心部を含む第１ＯＣＴデータを得るために設定された光路長を有する第１参照光路と、眼底周辺部を含む第２ＯＣＴデータを得るために設定された光路長を有する第２参照光路と、測定光と第１参照光路による第１参照光と、の第１干渉信号を検出する第１検出器と、測定光と第２参照光路による第２参照光と、の第２干渉信号を検出する第２検出器と、第１検出器から出力される第１スペクトル干渉信号と、第２検出器から出力される第２スペクトル干渉信号と、に基づいて、第１ＯＣＴデータ及び第２ＯＣＴデータを取得するための撮影条件を調整する調整手段と、を備える。【選択図】      図１
2019080804.tif 000002
【特許請求の範囲】
【請求項１】
ＯＣＴ光源からの光を測定光路と参照光路に分割し、前記測定光路を介して被検眼眼底に導かれた測定光と前記参照光路からの参照光との干渉信号を検出器によって検出するＯＣＴ光学系と、前記検出器から出力されるスペクトル干渉信号を処理してＯＣＴデータを取得可能な画像処理器と、を備えるＯＣＴ装置であって、
前記ＯＣＴ光学系は、
前記測定光が眼底上を横断する一つの横断方向に関して眼底中心部と眼底周辺部を含む広角領域に測定光を導くＯＣＴ光学系であって、
前記眼底中心部を含む第１ＯＣＴデータを得るために設定された光路長を有する第１参照光路と、前記眼底周辺部を含む第２ＯＣＴデータを得るために設定された光路長を有し、前記第１参照光路とは異なる第２参照光路と、
前記測定光と前記第１参照光路による第１参照光と、の第１干渉信号を検出する第１検出器と、前記測定光と前記第２参照光路による第２参照光と、の第２干渉信号を検出する第２検出器と、
前記第１干渉信号の検出によって前記第１検出器から出力される第１スペクトル干渉信号と、前記第２干渉信号の検出によって前記第２検出器から出力される第２スペクトル干渉信号と、に基づいて、前記第１ＯＣＴデータ及び前記第２ＯＣＴデータを取得するための撮影条件を調整する調整手段と、
を備え、
前記画像処理器は、
前記調整手段によって撮影条件が調整された後、前記眼底中心部に導かれた前記測定光と前記第１参照光との前記第１干渉信号に基づいて前記眼底中心部を含む前記第１ＯＣＴデータを得ると共に、前記眼底周辺部に導かれた前記測定光と前記第２参照光との前記第２干渉信号に基づいて前記眼底周辺部を含む前記第２ＯＣＴデータを得ることを特徴とするＯＣＴ装置。
【請求項２】
請求項１に記載のＯＣＴ装置において、
前記第１スペクトル干渉信号及び前記第２スペクトル干渉信号には、前記被検眼の所定の領域のスペクトル干渉信号が含まれ、
前記調整手段は、前記被検眼の前記所定の領域における前記第１スペクトル干渉信号と、前記第２スペクトル干渉信号と、に基づいて、前記第１ＯＣＴデータ及び前記第２ＯＣＴデータを取得するための撮影条件を調整することを特徴とするＯＣＴ装置。
【請求項３】
請求項１又は２に記載のＯＣＴ装置において、
前記調整手段は、前記第１スペクトル干渉信号と、前記第２スペクトル干渉信号と、の信号強度に基づいて、記第１ＯＣＴデータ及び前記第２ＯＣＴデータを取得するための撮影条件を調整することを特徴とするＯＣＴ装置。
【請求項４】
請求項１又は２に記載のＯＣＴ装置において、
前記調整手段は、前記第１スペクトル干渉信号と、前記第２スペクトル干渉信号と、のコントラスト情報に基づいて、前記第１ＯＣＴデータ及び前記第２ＯＣＴデータを取得するための撮影条件を調整することを特徴とするＯＣＴ装置。
【請求項５】
請求項１〜４のいずれかに記載のＯＣＴ装置において、
前記調整手段は、前記測定光と前記第１参照光との光路長差及び前記測定光と前記第２参照光との光路長差を調整する光路長調整手段と、前記眼底中心部及び前記眼底周辺部に対する合焦位置を調整するフォーカス調整手段と、前記測定光と前記第１参照光との偏光状態及び前記測定光と前記第２参照光との偏光状態を調整する偏光調整手段と、の少なくともいずれかであることを特徴とするＯＣＴ装置。
【請求項６】
請求項５に記載のＯＣＴ装置において、
前記光路長調整手段は、前記測定光と前記第１参照光との光路長差と、前記測定光と前記第２参照光との光路長差と、を共通の光学部材の駆動によって、同時に調整することを特徴とするＯＣＴ装置。
【請求項７】
請求項５又は６に記載のＯＣＴ装置において、
前記フォーカス調整手段は、前記眼底中心部及び前記眼底周辺部に対する合焦位置を、共通のフォーカス部材の駆動によって、同時に調整することを特徴とするＯＣＴ装置。
【請求項８】
請求項５〜７のいずれかに記載のＯＣＴ装置において、
前記偏光調整手段は、前記第１参照光路に配置された第１偏光調整部材と、前記第２参照光路に配置され、前記第１偏光調整部材とは異なる第２偏光調整部材と、を有し、
前記第１偏光調整部材を調整することによって、前記測定光と前記第１参照光との偏光状態を調整し、前記第２偏光調整部材を調整することによって、前記測定光と前記第２参照光との偏光状態を調整することを特徴とするＯＣＴ装置。
【請求項９】
請求項１〜８のいずれかに記載のＯＣＴ装置において、
前記第１ＯＣＴデータと、前記第２ＯＣＴデータと、を合成処理することによって、合成ＯＣＴデータを取得する合成処理手段を備えることを特徴とするＯＣＴ装置。
【発明の詳細な説明】
【技術分野】
【０００１】
本開示は、被検眼眼底のＯＣＴデータを取得するＯＣＴ装置に関する。
【背景技術】
【０００２】
被検物（例えば、眼）のＯＣＴデータを取得するＯＣＴ装置としては、ＯＣＴ光学系から出力されるスペクトル干渉信号を処理することにより、ＯＣＴデータを取得可能な装置が知られている（例えば、特許文献１参照）。
【先行技術文献】
【特許文献】
【０００３】
【特許文献１】特開２０１６−２０９５７７号公報
【発明の概要】
【発明が解決しようとする課題】
【０００４】
ところで、ＯＣＴ装置の撮像可能範囲は、高周波領域（すなわち、ゼロディレイ位置）から離れた深度であるほど感度が低下する。このため、被検眼の眼底中心部と眼底周辺部とを含む広角領域を１回の走査で撮像した場合には、良好なＯＣＴデータを取得できないことがあった。
【０００５】
そこで、発明者らは、複数のＯＣＴ光学系を用いることによって、１回の走査で広角領域を撮像することを考えた。しかし、複数のＯＣＴ光学系は、光量、偏光状態、検出器に付随するノイズ、等が必ずしも同じではない。このため、各ＯＣＴ光学系から出力されるスペクトル干渉信号を処理することで得たＯＣＴデータは、その輝度やコントラスト等が異なる場合があった。
【０００６】
本件発明は、上記問題点を鑑み、広角のＯＣＴデータを良好な信号強度にて取得できるＯＣＴ装置を提供することを技術課題とする。
【課題を解決するための手段】
【０００７】
上記課題を解決するため、本開示は以下のような構成を備えることを特徴とする。
【０００８】
（１）  本開示の第１態様に係るＯＣＴ装置は、ＯＣＴ光源からの光を測定光路と参照光路に分割し、前記測定光路を介して被検眼眼底に導かれた測定光と前記参照光路からの参照光との干渉信号を検出器によって検出するＯＣＴ光学系と、前記検出器から出力されるスペクトル干渉信号を処理してＯＣＴデータを取得可能な画像処理器と、を備えるＯＣＴ装置であって、前記ＯＣＴ光学系は、前記測定光が眼底上を横断する一つの横断方向に関して眼底中心部と眼底周辺部を含む広角領域に測定光を導くＯＣＴ光学系であって、前記眼底中心部を含む第１ＯＣＴデータを得るために設定された光路長を有する第１参照光路と、前記眼底周辺部を含む第２ＯＣＴデータを得るために設定された光路長を有し、前記第１参照光路とは異なる第２参照光路と、前記測定光と前記第１参照光路による第１参照光と、の第１干渉信号を検出する第１検出器と、前記測定光と前記第２参照光路による第２参照光と、の第２干渉信号を検出する第２検出器と、前記第１干渉信号の検出によって前記第１検出器から出力される第１スペクトル干渉信号と、前記第２干渉信号の検出によって前記第２検出器から出力される第２スペクトル干渉信号と、に基づいて、前記第１ＯＣＴデータ及び前記第２ＯＣＴデータを取得するための撮影条件を調整する調整手段と、を備え、前記画像処理器は、前記調整手段によって撮影条件が調整された後、前記眼底中心部に導かれた前記測定光と前記第１参照光との前記第１干渉信号に基づいて前記眼底中心部を含む前記第１ＯＣＴデータを得ると共に、前記眼底周辺部に導かれた前記測定光と前記第２参照光との前記第２干渉信号に基づいて前記眼底周辺部を含む前記第２ＯＣＴデータを得ることを特徴とする。
【図面の簡単な説明】
【０００９】
【図１】本実施例に係るＯＣＴ装置の一例を示す図である。
【図２】本実施例に係るＦＰＮ生成光学系の一例を示す図である。
【図３】ＦＰＮ信号を用いて複数のＯＣＴデータを合成する場合のデータの一例を示す図であり、合成前を示す図である。
【図４】ＦＰＮ信号を用いて複数のＯＣＴデータを合成する場合のデータの一例を示す図であり、合成後のイメージ図である。
【図５】ＦＰＮ信号を用いて複数のＯＣＴデータを合成する場合のデータの変容例を示す図である。
【図６】ＦＰＮ信号を用いて複数のＯＣＴデータを合成する場合のデータの変容例を示す図である。
【図７】フォーカスレンズの移動方向を説明する図である。
【図８】ＯＣＴデータ上を走査する走査線と輝度値の変化を説明する図である。
【図９】フォーカスレンズの各移動位置における評価値をグラフに表した図である。
【図１０】撮影条件の調整後に取得される第１ＯＣＴデータと第２ＯＣＴデータの一例を示す図である。
【図１１】合成ＯＣＴデータの一例を示す図である。
【図１２】第１ＯＣＴデータ上を走査する走査線とコントラスト値の変化を説明する図である。
【発明を実施するための形態】
【００１０】
＜概要＞
典型的な実施形態の１つについて、図面を参照して説明する。図１〜図１２は、本実施形態に係る光コヒーレンストモグラフィー（Optical Coherence Tomography:OCT）装置を説明する図である。なお、以下の＜＞にて分類された項目は、独立または関連して利用され得る。
【００１１】
＜ＯＣＴ光学系＞
例えば、本実施例に係るＯＣＴ装置（例えば、ＯＣＴ装置１）は、ＯＣＴ光学系（例えば、ＯＣＴ光学系１００）を備え、ＯＣＴ光学系の検出器から出力されるスペクトル干渉信号を処理してＯＣＴデータを取得可能であってもよい。例えば、この場合、ＯＣＴ光学系は、フーリエドメインＯＣＴ光学系を基本的構成としてもよい。フーリエドメインＯＣＴ光学系としては、スペクトルドメインＯＣＴ（ＳＤ−ＯＣＴ）光学系であってもよい。波長掃引式ＯＣＴ（ＳＳ−ＯＣＴ）光学系であってもよい。また、例えば、この場合、ＯＣＴ光学系は、タイムドメインＯＣＴ（ＴＤ−ＯＣＴ）を基本構成としてもよい。
【００１２】
なお、本開示の技術は、被検物の反射強度を検出するためのスダンダートＯＣＴ、被検物のモーションコントラストデータを検出するためのＯＣＴアンジオグラフィー（例えば、ドップラーＯＣＴ）、偏光感受ＯＣＴ（ＰＳ−ＯＣＴ：Polarization Sensitive OCT）、等において適用されてもよい。また、スダンダートＯＣＴとＰＳ−ＯＣＴとが複合されたマルチファンクションＯＣＴにおいて適用されてもよい。
【００１３】
例えば、ＯＣＴ光学系は、ＯＣＴ光源からの光を測定光路と参照光路に分割するための光分割器を有し、測定光路を介して被検物に導かれた測定光と参照光路からの参照光とのスペクトル干渉信号を検出してもよい。
【００１４】
＜眼底広角撮影＞
例えば、ＯＣＴ光学系は、ＯＣＴ光源からの光を測定光路と参照光路に分割し、測定光路を介して被検眼眼底に導かれた測定光と参照光路からの参照光との干渉信号を、検出器によって検出するために設けられてもよい。
【００１５】
例えば、ＯＣＴ光学系は、測定光が眼底上を横断する一つの横断方向に関して眼底中心部と眼底周辺部を含む広角領域に測定光を導くことが可能なＯＣＴ光学系であってもよい。この場合、広角領域としては、例えば、特定の横断方向（例えば、水平方向）に関して測定光が眼底上で横断する場合、眼底中心部と眼底周辺部の両方に横断するような広い角度領域であってもよい。また、測定光が横断する横断領域に関して、例えば、眼底中心部での横断領域と眼底周辺部での横断領域は、横断方向に関して連続してもよい。広角領域としては、例えば、眼底上において１８ｍｍ以上の領域であってもよい。もちろん、広角領域が１８ｍｍよりも狭い領域を得る場合に用いられてもよく、本実施形態の装置は、眼底の湾曲度が大きい被検眼の周辺領域を撮像する場合に特に有用である。
【００１６】
例えば、眼底の広角領域に測定光を導くことが可能なＯＣＴ光学系としては、対物レンズ光学系が用いられてもよいし、凹面ミラーを用いた対物ミラー光学系が用いられてもよい。また、対物レンズ光学系に、広角アタッチメントが取り付けられた構成であってもよい。
【００１７】
例えば、ＯＣＴ光学系は、複数の参照光路を備えてもよい。例えば、ＯＣＴ光学系は、眼底中心部を含む第１ＯＣＴデータ（例えば、第１ＯＣＴデータ３６０、第１ＯＣＴデータ３８０）を得るために設定された光路長を有する第１参照光路（例えば、第１参照光路１１０ａ）と、眼底周辺部を含む第２ＯＣＴデータ（例えば、第２ＯＣＴデータ３７０、第２ＯＣＴデータ３９０）を得るために設定された光路長を有し第１参照光路とは異なる第２参照光路（例えば、第２参照光路１１０ｂ）と、を備えてもよい。この場合、第１参照光路と第２参照光路との光路長差は、眼底中心部と眼底周辺部との間での測定光の光路長差に対応して設定されてもよい。なお、眼球の湾曲を考慮し、例えば、第２参照光路の方が、第１参照光路よりも光路長が短く設定されてもよい。
【００１８】
例えば、ＯＣＴ光学系は、測定光を被検眼眼底上で走査するための光走査部（例えば、光スキャナ１５６）を備えてもよい。例えば、光走査部は、眼底上において測定光を一つの走査方向に走査することによって、眼底中心部と眼底周辺部を含む広角領域を走査してもよい。この場合、例えば、眼底中心部での走査領域と眼底周辺部での走査領域は、横断方向に関して連続してもよい。また、例えば、光走査部は、眼底上の広角領域を走査可能な走査角度まで測定光を走査できるように構成されてもよい。また、例えば、光走査部は、被検眼の瞳孔と略共役位置に配置され、瞳孔中心を旋回点として測定光を測定してもよい。
【００１９】
なお、光走査部が設けられる場合、光走査部による１回のＢスキャンによって、眼底中心部と眼底周辺部を含む広角領域に測定光を走査し、眼底中心部を含むＯＣＴデータと眼底周辺部を含むＯＣＴデータが取得されてもよい。これによって、例えば、広角領域におけるＯＣＴデータをスムーズに取得することができる。
【００２０】
例えば、ＯＣＴ光学系は、眼底中心部に対応する第１検出器と眼底周辺部に対応する第２検出器とを備えてもよい。この場合、ＯＣＴ光学系は、測定光と、第１参照光路による第１参照光と、の第１干渉信号を検出する第１検出器（例えば、検出器１２０ａ）と、測定光と、第２参照光路による第２参照光と、の第２干渉信号を検出する第２検出器（例えば、検出器１２０ｂ）と、を備えてもよい。これによって、第１検出器と第２検出器を並列的に用いることができるため、眼底中心部と眼底周辺部のＯＣＴデータを確実に検出することができるとともに、各ＯＣＴデータをスムーズかつ良好な信号強度にて取得できる。
【００２１】
＜調整手段＞
例えば、本実施例に係るＯＣＴ装置は、調整手段（例えば、制御部７０）を備えていてもよい。例えば、調整手段は、第１干渉信号の検出によって第１検出器から出力される第１スペクトル干渉信号と、第２干渉信号の検出によって第２検出器から出力される第２スペクトル干渉信号と、に基づいて、第１ＯＣＴデータ及び第２ＯＣＴデータを取得するための撮影条件を調整する。例えば、スペクトル干渉信号は、検出器から出力される信号そのものであってもよい。また、例えば、スペクトル干渉信号は、検出器から出力される信号をフーリエ変換することで得たＯＣＴデータであってもよい。
【００２２】
例えば、調整手段は、第１スペクトル干渉信号及び第２スペクトル干渉信号に基づいて、第１ＯＣＴデータ及び第２ＯＣＴデータを取得するための撮影条件を調整してもよい。例えば、この場合、調整手段は、第１スペクトル干渉信号と第２スペクトル干渉信号との信号強度に基づいて、第１ＯＣＴデータ及び第２ＯＣＴデータを取得するための撮影条件を調整する構成としてもよい。また、例えば、この場合、調整手段は、第１スペクトル干渉信号と第２スペクトル干渉信号とのコントラスト情報に基づいて、第１ＯＣＴデータ及び前記第２ＯＣＴデータを取得するための撮影条件を調整する構成としてもよい。
【００２３】
なお、スペクトル干渉信号の信号強度に基づく撮影条件の調整としては、検出器から出力された信号そのものに基づく撮影条件の調整であってもよいし、スペクトル干渉信号をフーリエ変換することで得たＯＣＴデータに基づく撮影条件の調整であってもよいし、ＯＣＴデータを画像化した際の輝度情報に基づく撮影条件の調整であってもよい。
【００２４】
なお、調整手段は、スペクトル干渉信号の信号強度として、Ｓ／Ｎ比（すなわち、干渉信号とノイズ量の比）、特定の信号（例えば、疾患部位やＣＯＳＴライン等の少なくともいずれかに対応する信号）における鮮鋭度、等の少なくともいずれかを取得し、これに基づいて、第１ＯＣＴデータ及び第２ＯＣＴデータを取得するための撮影条件を調整してもよい。また、調整手段は、スペクトル干渉信号の信号強度に基づいて取得される画像情報として、輝度情報、コントラスト情報、ハレーションに関する情報（例えば、ハレーションの有無や面積等）等の少なくともいずれかを取得し、これに基づいて、第１ＯＣＴデータ及び第２ＯＣＴデータを取得するための撮影条件を調整してもよい。
【００２５】
例えば、調整手段は、測定光と第１参照光との光路長差及び測定光と第２参照光との光路長差を調整する光路長調整手段（例えば、カップラ１５３及びコリメータレンズ１５４）を調整する構成であってもよい。また、例えば、調整手段は、眼底中心部及び眼底周辺部に対する合焦位置を調整するフォーカス調整手段（例えば、フォーカスレンズ１５５）を調整する構成であってもよい。また、例えば、調整手段は、測定光と第１参照光との偏光状態及び測定光と第２参照光との偏光状態を調整する偏光調整手段（例えば、偏光調整部３００、偏光調整部３０２）を調整する構成であってもよい。なお、本実施例において、調整手段は、光路長調整手段と、フォーカス調整手段と、偏光調整手段と、の少なくともいずれかを調整するようにしてもよい。もちろん、これらの調整以外に、参照光の光量、被検眼Ｅの前眼部アライメント機構、被検眼Ｅのスキャン位置、分散補正部材、等の少なくともいずれかを調整するようにしてもよい。
【００２６】
例えば、調整手段は、第１スペクトル干渉信号及び第２スペクトル干渉信号に被検眼の所定の領域のスペクトル干渉信号が含まれる場合には、被検眼の所定の領域における第１スペクトル干渉信号と第２スペクトル干渉信号とに基づいて、第１ＯＣＴデータ及び第２ＯＣＴデータを取得するための撮影条件を調整するようにしてもよい。例えば、所定の領域は、被検眼Ｅにおける深さ方向に設けられてもよい。また、例えば、所定の領域は、被検眼Ｅにおける横断方向に設けられてもよい。これによって、第１ＯＣＴデータと第２ＯＣＴデータのそれぞれに重複領域が設けられるので、共通の領域を比較することで、撮影条件を容易に調整できるようになる。なお、このような所定の領域は、被検眼の疾患部位等を含む領域であってもよい。また、このような所定の領域は、ゼロディレイ位置から一定の深さだけ離れた位置等であってもよい。
【００２７】
＜光路長調整手段＞
例えば、光路長調整手段は、測定光と第１参照光との光路長差と、測定光と第２参照光との光路長差と、を共通の光学部材の駆動によって、同時に調整する構成であってもよい。例えば、本実施例においては、測定光路に設けられた測定光の光路長を調整するための光学部材（例えば、レンズ等）を移動させることによって、測定光と第１参照光との光路長差と、測定光と第２参照光との光路長差と、が同時に調整される。もちろん、測定光と第１参照光との光路長差と、測定光と第２参照光との光路長差と、はそれぞれを独立に調整可能な構成としてもよい。この場合には、第１参照光路と、第２参照光路と、のそれぞれに、参照光の光路長を調整するための光学部材が設けられてもよい。このような構成であれば、各参照光の光路長を調整することによって、測定光と第１参照光との光路長差と、測定光と第２参照光との光路長差と、を独立に調整することができる。
【００２８】
＜フォーカス調整手段＞
例えば、本実施例におけるフォーカス調整手段は、眼底中心部及び眼底周辺部に対する合焦位置を、共通のフォーカス部材の駆動によって、同時に調整する構成であってもよい。例えば、本実施例においては、測定光路に設けられたフォーカス調整用の光学部材を移動させることによって、眼底中心部と眼底周辺部とに対する合焦位置が同時に調整される。もちろん、眼底中心部に対する合焦位置と、眼底周辺部に対する合焦位置と、はそれぞれが独立に調整される構成であってもよい。この場合には、眼底中心部と眼底周辺部に対応する２つの測定光路を設け、各測定光路にフォーカス調整用の光学部材を配置するようにしてもよい。このような構成であれば、被検眼の眼底中心部に対する合焦位置と、被検眼の眼底周辺部に対する合焦位置と、を独立に調整することができる。
【００２９】
＜偏光調整手段＞
例えば、本実施例における偏光調整手段は、第１参照光路に配置された第１偏光調整部材（例えば、第１偏光調整部３００）を有していてもよい。また、例えば、本実施例における偏光調整手段は、第２参照光路に配置され、第１偏光調整部材とは異なる第２偏光調整部材（例えば、第２偏光調整部３０２）を有していてもよい。例えば、偏光調整手段は、第１偏光調整部材を調整することによって、測定光と第１参照光との偏光状態を調整し、第２偏光調整部材を調整することによって、測定光と第２参照光との偏光状態を調整する構成であってもよい。
【００３０】
＜画像処理器＞
例えば、本実施例に係るＯＣＴ装置は、画像処理器（例えば、制御部７０）を備えてもよい。画像処理器は、検出器から出力されるスペクトル干渉信号を処理してＯＣＴデータを取得可能であってもよい。例えば、この場合、画像処理器は、眼底中心部に導かれた測定光と第１参照光との第１干渉信号に基づいて眼底中心部を含む第１ＯＣＴデータを得るとともに、眼底周辺部に導かれた測定光と第２参照光との第２干渉信号に基づいて眼底周辺部を含む第２ＯＣＴデータを得てもよい。例えば、画像処理器は、調整手段によって撮影条件が調整された後の第１ＯＣＴデータと第２ＯＣＴデータを得ることで、各ＯＣＴデータに生じる信号強度の差が小さいＯＣＴデータを取得することができる。このため、検者はバランスのとれた第１ＯＣＴデータと第２ＯＣＴデータをそれぞれ取得することができる。
【００３１】
＜合成処理手段＞
例えば、本実施例に係るＯＣＴ装置は、合成処理手段（例えば、制御部７０）を備えてもよい。合成処理手段は、第１ＯＣＴデータと第２ＯＣＴデータとを合成処理することによって、合成ＯＣＴデータ（例えば、合成ＯＣＴデータ４００）を取得する。例えば、合成処理手段は、第１ＯＣＴデータと、第２ＯＣＴデータと、が深さ方向と横断方向の少なくともいずれかに関して連続するように、それぞれのＯＣＴデータを合成してもよい。また、例えば、合成処理手段は、各ＯＣＴデータに含まれるＦＰＮ信号を用いて、それぞれのＯＣＴデータを合成してもよい。例えば、これによって、被検眼における１枚の広角ＯＣＴデータを得ることができる。
【００３２】
＜実施例＞
以下、本実施例に係る光コヒーレンストモグラフィー（ＯＣＴ）装置の実施例について説明する。図１はＯＣＴ装置１の光学系及び制御系を示す図である。例えば、ＯＣＴ装置１は、波長掃引式ＯＣＴ（ＳＳ−ＯＣＴ：Swept Source-OCT）を基本構成とし、波長可変光源１０２と、干渉光学系（ＯＣＴ光学系）１００と、演算制御器（演算制御部）７０と、を含む。その他、ＯＣＴ装置１には、メモリ７２、表示部７５、図示なき正面像観察系及び固視標投影系が設けられてもよい。演算制御器（以下、制御部）７０には、波長可変光源１０２、干渉光学系１００、メモリ７２、表示部７５、が接続されている。
【００３３】
干渉光学系１００は、導光光学系１５０によって測定光を被検眼Ｅに導く。干渉光学系１００は、参照光学系１１０に参照光を導く。干渉光学系１００は、被検眼Ｅによって反射された測定光と参照光との干渉によって取得される干渉信号光を検出器（受光素子）１２０に受光させる。さらに、本実施例の干渉光学系１００は、ＦＰＮ生成光学系２００を備える（詳しくは後述する）。なお、干渉光学系１００は、図示なき筐体（装置本体）内に搭載され、ジョイスティック等の操作部材を介して、周知のアライメント移動機構により被検眼Ｅに対して筐体を３次元的に移動させることで、被検眼Ｅに対するアライメントが行われてもよい。
【００３４】
干渉光学系１００にはＳＳ−ＯＣＴ方式が用いられ、光源１０２として出射波長を時間的に高速で変化させる波長可変光源（波長走査型光源）が用いられる。光源１０２は、例えば、レーザ媒体、共振器、及び波長選択フィルタによって構成される。波長選択フィルタとしては、例えば、回折格子とポリゴンミラーの組み合わせ、ファブリー・ペローエタロンを用いたフィルタが挙げられる。また、光源１０２としては、ＶＣＳＥＬ式波長可変光源が用いられてもよい。
【００３５】
カップラ（スプリッタ）１０４は、第１の光分割器として用いられ、光源１０２から出射された光を測定光路と参照光路に分割する。カップラ１０４は、例えば、光源１０２からの光を測定光路側の光ファイバー１０５に導光すると共に、参照光路側の参照光学系１１０に導光する。
【００３６】
カップラ（スプリッタ）１３０は、第２の光分割器として用いられ、光ファイバー１０５からの光（測定光）を、導光光学系１５０の光路とＦＰＮ生成光学系２００の光路に分割する。つまり、測定光路には、導光光学系１５０とＦＰＮ生成光学系２００が設けられている。カップラ（スプリッタ）１３０は、ビームスプリッタであってもよいし、サーキュレータであってもよい。
【００３７】
＜導光光学系＞
導光光学系１５０は、測定光を被検眼Ｅに導くために設けられる。導光光学系１５０には、例えば、光ファイバー１５２、カップラ１５３、コリメータレンズ１５４、フォーカスレンズ１５５、光スキャナ１５６、及び対物レンズ系１５８が順次設けられてもよい。この場合、測定光は、光ファイバー１５２、カップラ１５３を介して、コリメータレンズ１５４によって平行ビームとなり、フォーカスレンズ１５５を介して光スキャナ１５６に向かう。光スキャナ１５６を通過した光は、対物レンズ系１５８を介して、被検眼Ｅに照射される。測定光は、前眼部及び後眼部の両方に照射され、各組織にて散乱・反射される。
【００３８】
光スキャナ１５６は、被検眼Ｅ上でＸＹ方向（横断方向）に測定光を走査させてもよい。光スキャナ１５６は、例えば、２つのガルバノミラーであり、その反射角度が駆動機構によって任意に調整される。光源１０２から出射された光束は、その反射（進行）方向が変化され、被検眼の眼底上で任意の方向に走査される。光スキャナ１５６としては、例えば、反射ミラー（ガルバノミラー、ポリゴンミラー、レゾナントスキャナ）の他、光の進行（偏向）方向を変化させる音響光学素子（ＡＯＭ）等が用いられてもよい。
【００３９】
この場合、測定光による被検眼Ｅからの散乱光（反射光）は、対物レンズ系１５８、光スキャナ１５６、フォーカスレンズ１５５、コリメータレンズ１５４、カップラ１５３、光ファイバー１５２を経た後、カップラ１３０に達する。カップラ１３０は、光ファイバー１５２からの光を、第１検出器１２０ａに向かう光路（例えば、光ファイバー１１５〜カップラ３５０ａ）と、第２検出器１２０ｂに向かう光路（例えば、光ファイバー１０５〜カップラ１０４〜光ファイバー１１７〜カップラ３５０ｂ）に分割する。
【００４０】
カップラ１３０によって分割された測定光のうち、第１検出器１２０ａに向かう光路を経由した測定光は、カップラ３５０ａにて、第１参照光路１１０ａからの参照光と合波されて干渉する。また、第２検出器１２０ｂに向かう光路を経由した測定光は、カップラ３５０ｂにて、第２参照光路１１０ｂからの参照光と合波されて干渉する。
【００４１】
なお、導光光学系には、測定光の合焦位置を調整するための光学部材が配置されていてもよい。例えば、本実施例においては、フォーカスレンズ１５５が光軸方向に移動されることで、測定光の合焦位置が調整され、結果として被検眼Ｅに対するフォーカスが調整される。例えば、フォーカスレンズ１５５は可変焦点レンズであってもよく、この場合には、可変焦点レンズを光軸方向に対して固定配置し、その屈折力を変化させることで、被検眼Ｅに対するフォーカスが調整されてもよい。
【００４２】
＜参照光学系＞
参照光学系１１０は、被検眼Ｅでの測定光の反射によって取得される反射光と合成される参照光を生成する。参照光学系１１０を経由した参照光は、カップラ（例えば、カップラ３５０ａ、３５０ｂ）にて測定光路からの光と合波されて干渉する。参照光学系１１０は、マイケルソンタイプであってもよいし、マッハツェンダタイプであってもよい。
【００４３】
参照光学系１１０は、例えば、反射光学系によって形成され、カップラ１０４からの光を反射光学系により反射することにより検出器１２０に導いてもよい。参照光学系１１０は、透過光学系によって形成されてもよい。この場合、参照光学系１１０は、カップラ１０４からの光を戻さず透過させることにより検出器１２０へと導く。
【００４４】
なお、測定光路と参照光路の少なくともいずれかには、測定光と参照光との光路長差を調整するための光学部材が配置されてもよい。例えば、コリメータレンズ１５４とカップラ１５３とが一体的に移動されることで、測定光の光路長が調整され、結果として、測定光と参照光との光路長差が調整されてもよい。もちろん、参照光路に配置された光学部材が移動されることによって、結果として、測定光と参照光との光路長差が調整されてもよい。
【００４５】
本実施例において、参照光学系１１０として、複数の参照光路が設けられてもよく、例えば、第１参照光路１１０ａと、第２参照光路１１０ｂとが設けられてもよい。
【００４６】
参照光学系１１０には、例えば、参照光路を、第１参照光路１１０ａと、第２参照光路１１０ｂと、に分割するための光分割器（例えば、カップラ１１１）が設けられてもよい。第１参照光路１１０ａと、第２参照光路１１０ｂと、の少なくともいずれかには、例えば、参照光の光路長を変更するために移動される光学部材１１２が設けられてもよい。光学部材１１２は、制御部７０によって制御される図示なき駆動部によって移動されてもよい。
【００４７】
例えば、カップラ１０４からの参照光は、カップラ１１１によって第１参照光路１１０ａと第２参照光路１１０ｂに分割される。第１参照光路１１０ａを経由した参照光は、カップラ３５０ａにて、光ファイバー１１５からの測定光と合波されて干渉する。第２参照光路１１０ｂを経由した参照光は、カップラ３５０ｂにて、光ファイバー１１７からの測定光と合波されて干渉する。
【００４８】
第１参照光路１１０ａと、第２参照光路１１０ｂは、互いに異なる光路長に設定されてもよい。これによって、例えば、互いに異なる深さ領域に対応する干渉信号を同時に取得でき、結果として、広範囲のＯＣＴデータを同時に取得できる。
【００４９】
例えば、第１参照光路１１０ａが、被検眼Ｅにおける第１の深さ領域（例えば、水晶体、眼底）に対応する干渉信号を得るために設けられ、第２参照光路１１０ｂが、被検眼Ｅにおける第２の深さ領域（例えば、角膜）に対応する干渉信号を得るために設けられてもよい。この場合、第２の深さ領域は、第１の深さ領域に対して異なる領域に設定される。この場合、第１の深さ領域と第２の深さ領域は、互いに分離した領域であってもよいし、互いに隣接した領域であってもよいし、一部が重複した領域であってもよい。
【００５０】
なお、第１参照光路１１０ａと、第２参照光路１１０ｂは、同じ光路長に設定されてもよい。これによって、例えば、同一の深さ領域に対応する干渉信号を同時に取得でき、結果として、同一領域に関する複数のＯＣＴデータを同時に取得できる。
【００５１】
＜光検出器＞
検出器１２０は、測定光路からの光と参照光路からの光による干渉を検出するために設けられている。なお、検出器１２０は、受光素子であってもよく、例えば、受光部が１つのみからなるポイントセンサであって、例えば、アバランシェ・フォト・ダイオードが用いられてもよい。
【００５２】
本実施例では、検出器１２０として、第１検出器１２０ａと、第１検出器１２０ａとは異なる第２検出器１２０ｂと、が設けられてもよい。第１検出器１２０ａは、第１参照光路１１０ａからの参照光と、光ファイバー１１５からの測定光と、による第１干渉信号を検出するための検出器として設けられてもよい。第２検出器１２０ｂは、第２参照光路１１０ｂからの参照光と、光ファイバー１１７からの測定光と、による第２干渉信号を検出するための検出器として設けられてもよい。この場合、第１検出器１２０ａにて第１干渉信号を検出すると同時に、第２検出器１２０ｂにて第２干渉信号を検出することによって、第１干渉信号と第２干渉信号を同時に検出可能である。これらの検出器のサンプリング速度は、互いに異なっていても良いし、同じであっても良い。
【００５３】
なお、第１検出器１２０ａ、第２検出器１２０ｂは、それぞれ平衡検出器であってもよい。この場合、第１検出器１２０ａ、第２検出器１２０ｂは、複数の受光素子をそれぞれ備え、第１受光素子からの干渉信号と第２受光素子からの干渉信号との差分を得て、干渉信号に含まれる不要なノイズを削減できる。
【００５４】
＜ＦＰＮ生成光学系＞
図２は、本実施例に係るＦＰＮ生成光学系の一例を示す図である。ＦＰＮ生成光学系２００は、ＦＰＮ信号を生成するために設けられてもよい。ＦＰＮ生成光学系２００は、ＦＰＮを発生させる光学部材（例えば、第１の光学部材２０４又は第２の光学部材２０６）を少なくとも１つ備えてもよい。本実施例において、ＦＰＮ生成光学系２００は、測定光が被検眼Ｅに向かう光路から分岐された位置に配置されている。
【００５５】
ＦＰＮ生成光学系２００としては、例えば、反射光学系であってもよく、ＦＰＮ発生用光学部材としては、例えば、光反射部材（例えば、ミラー）が用いられてもよい。なお、本実施例では、第１のＦＰＮ発生用光学部材２０４、第２のＦＰＮ発生用光学部材２０６としてミラーが用いられているが、これに限定されない。また、本実施例においては、ＦＰＮを発生させる光学部材を複数設けたが、これに限定されず、ＦＰＮ生成光学系２００は、ＦＰＮを発生させる光学部材を１つ備える構成であってもよい。
【００５６】
第１検出器１２０ａには、第１干渉信号と共にＦＰＮ信号が検出され、第２検出器１２０ｂには、第２干渉信号と共にＦＰＮ信号が検出される。ＦＰＮ信号は、例えば、第１干渉信号に基づく第１ＯＣＴデータと、第２干渉信号に基づく第２ＯＣＴデータとの合成（詳しくは後述する）、各干渉信号の波数マッピング補正、偏光調整等に用いられてもよい。
【００５７】
例えば、ＦＰＮ生成光学系２００は、第１のＦＰＮ信号と第２のＦＰＮ信号を生成するために設けられてもよい。例えば、ＦＰＮ生成光学系２００は、第１のＦＰＮを発生させる第１の光学部材２０４と、第２のＦＰＮを発生させる第２の光学部材２０６と、を少なくとも備えてもよい。第２の光学部材２０６は、第２の光学部材を経由した光が、第１の光学部材２０４を経由した光による光路長とは異なるように配置されてもよい。これによって、第２のＦＰＮは、第１のＦＰＮに対して異なる位置に発生される。なお、後述するゼロディレイ位置は、ＯＣＴデータ上において、測定光の光路長と参照光の光路長とが一致する位置に対応する。
【００５８】
第１の光学部材２０４と第２の光学部材２０６とが同時に使用されることによって、２つのＦＰＮ信号を同時に生成することが可能であり、これによって、２つのＦＰＮ信号を処理する際の時間的なずれの影響を軽減できる。なお、ＦＰＮ光学系２００は、３つ以上のＦＰＮ発生用光学部材を備えてもよく、これらが同時に使用されることによって、３つ以上のＦＰＮ信号を同時に生成することが可能である。
【００５９】
この場合、カップラ１３０からの光は、第１の光学部材２０４又は第２の光学部材２０６を経由した後、カップラ１３０に戻され、導光光学系１５０からの光と同様の経路を経て、カップラ３５０ａ，カップラ３５０ｂに達する。ＦＰＮ生成光学系２００からの光は、カップラ３５０ａ，３５０ｂにて参照光と合波されて干渉する。なお、光源１０２〜ＦＰＮ生成光学系２００〜カップラ３５０ａ，３５０ｂの光路長と、光源１０２〜参照光学系１１０〜カップラ３５０ａ，３５０ｂまでの光路長は、ほぼ同じ長さに設定されてもよい。
【００６０】
例えば、第１の光学部材２０４を経由した光が参照光と干渉することによって、第１のＦＰＮに対応する干渉信号光が生成され、検出器１２０には第１のＦＰＮ信号が生成され、第２の光学部材２０６を経由した光が参照光と干渉することによって、第２のＦＰＮに対応する干渉信号光が生成され、検出器１２０には第２のＦＰＮ信号が生成される。結果として、例えば、検出器１２０には、第１のＦＰＮ信号と第２のＦＰＮ信号の両方が同時に検出される。
【００６１】
ＦＰＮ信号を所定の処理に用いる場合、検出器１２０ａ、検出器１２０ｂのそれぞれにおいて、第１のＦＰＮ信号と第２のＦＰＮ信号の両方が同時に検出されてもよいし、検出器１２０ａにおいて一方のＦＰＮ信号が検出され、検出器１２０ｂにおいて他方のＦＰＮ信号が検出されてもよい。また、検出器１２０ａ、検出器１２０ｂの一方において、第１のＦＰＮ信号と第２のＦＰＮ信号の両方が同時に検出され、検出器１２０ａ、検出器１２０ｂの他方において第１のＦＰＮ信号と第２のＦＰＮ信号の一方が検出されてもよい。また、検出器１２０ａ、検出器１２０ｂの一方において、少なくとも一つのＦＰＮ信号が検出され、また、検出器１２０ａ、検出器１２０ｂの他方において、ＦＰＮ信号が検出されなくてもよい。
【００６２】
なお、ＦＰＮ生成光学系２００には、光量モニタ２１０が配置されてもよく、光源１０２からの光は、ビームスプリッタ２０８を介して光量モニタ２１０によって検出される。光量モニタ２１０からの出力信号は、光源１０２の出射光量が適正か否かを判定するために用いられてもよい。
【００６３】
ＦＰＮ生成光学系２００は、例えば、第１の光学部材２０４を備える第１の光路２０３と、第２の光学部材２０６を備える第２の光路２０５とを少なくとも備えてもよい。ここで、第１の光路２０３と第２の光路２０５との間において、第１の光路２０３の光路長と第２の光路２０５の光路長が異なることによって、第２のＦＰＮは、第１のＦＰＮとは異なる位置に生成される。例えば、第２の光路２０５の光路長が第１の光路２０３の光路長よりも長いことによって、第２のＦＰＮは第１のＦＰＮよりもゼロディレイから離れた位置に生成される。
【００６４】
ＦＰＮ生成光学系２００は、光路分割部材２０２（例えば、ビームスプリッタ）を備えてもよく、光路分割部材２０２は、光源側の光路を、第１の光路２０３と第２の光路２０５とに分割するために設けられてもよい。第１の光学部材２０４は、光路分割部材２０２によって分割された第１の光路２０３に配置されており、第２の光学部材２０６は、光路分割部材２０２によって分割された第２の光路に配置されている。
【００６５】
第１の光路２０３と第２の光路２０５は、互いに異なる光路長を持つ。つまり、光路分割部材２０２の分岐位置から第１の光学部材２０４までの光路長と、光路分割部材２０２の分岐位置から第２の光学部材２０６までの光路長は異なる。この結果として、第１の光学部材２０４によって形成される第１のＦＰＮと、第２の光学部材２０６によって形成される第２のＦＰＮは、ＯＣＴ画像上において深さ方向に異なる位置に形成される。なお、深さ方向における第１のＦＰＮと第２のＦＰＮとの間の距離は、第１の光路２０３と第２の光路２０５との間の光路長差に起因する。
【００６６】
また、第１の光路２０３と第２の光路２０５は、互いに等しい光学的分散量に設定（構築）されている。この結果として、第１のＦＰＮを用いて算出される各波数成分のマッピング情報（以下、第１の波数マッピング情報）と、第２のＦＰＮを用いて算出される各波数成分のマッピング情報（以下、第２の波数マッピング情報）との間の差分に基づいて、各波数成分のマッピング状態を補正するための補正情報を演算により求める際、各マッピング情報に含まれる分散成分を適正にキャンセルできるので、補正情報を精度よく求めることができる。この場合、互いに等しい分散量としては、厳密に同一である必要は必ずしもなく、一定の精度を確保し、分散成分を適正にキャンセルできればよい。
【００６７】
なお、ＦＰＮ生成光学系２００の光路に遮光部材又は減光部材が配置されることによって、被検眼Ｅの観察又は撮影に用いるＯＣＴデータのＦＰＮ信号を軽減するようにしてもよい。この場合、第１の光路と第２の光路との少なくともいずれかが遮光又は減光されることで、ＯＣＴデータ上でのＦＰＮ信号を軽減するようにしてもよい。これらは、診断・観察等に用いるＯＣＴデータを得る場合において有効である。また、これに限定されず、ＯＣＴデータに含まれるＦＰＮ信号を信号処理によって除去するようにしてもよい。
【００６８】
例えば、ＦＰＮ生成光学系２００の光路には、第１の光路を遮光するための第１の遮光部材２１０と、第２の光路を遮光するための第２の遮光部材２１２と、が各光路に対して挿脱可能に配置されてもよい。
【００６９】
＜光量分岐比＞
ここで、カップラ１３０は、カップラ１０４からの光を、導光光学系１５０の光路とＦＰＮ生成光学系２００の光路に分割すると共に、導光光学系１５０及びＦＰＮ生成光学系２００からの光を、第１検出器３５０ａへと向かう光路（例えば、光ファイバー１１５〜カップラ３５０ａ）と、カップラ１０４へと向かう光路（例えば、光ファイバー１０５〜カップラ１０４〜光ファイバー１１７〜カップラ３５０ｂ）と、に分割する。
【００７０】
光ファイバー１０５からの光を分割する際のカップラ１３０の光量分割比Ｓ１は、導光光学系１５０よりもＦＰＮ生成光学系２００に多くの光が導かれるように設定されてもよい。この場合、ファイバー１０５からの光がカップラ１３０によって分割される光量比は、導光光学系１５０＜ＦＰＮ生成光学系２００となる。
【００７１】
導光光学系１５０からの光を分割する際のカップラ１３０の光量分割比Ｓ２は、光量分割比Ｓ１に依存する。この結果、導光光学系１５０からの光に関し、第１検出器１２０ａに向かう光路よりも、第２検出器１２０ｂに向かう光路に、多くの光が導かれる。この場合、導光光学系１５０からの光がカップラ１３０によって分割される光量比は、第１検出器１２０ａに向かう光路＜カップラ１０４に向かう光路となる。
【００７２】
第１検出器１２０ａに向かう光路を経由した測定光は、第１参照光路１１０ａからの光と干渉した後、第１検出器１２０ａにて第１干渉信号として検出される。一方、カップラ１０４に向かう測定光は、カップラ１０４によって、光源１０２に向かう光路と、第２検出器１２０ｂに向かう光路（例えば、光ファイバー１１７〜カップラ３５０ｂ）に分割される。カップラ１３０からの光を分割する際の光量分割比Ｓ４は、光源１０２からの光を測定光路と参照光路とに分割する際の光量分割比Ｓ３に依存する。光量分割比Ｓ３が、測定光路よりも参照光路に多くの光が導かれるように設定された場合、カップラ１３０からの光がカップラ１０４によって分割される光量比は、光源１０２に向かう光路＜第２検出器１２０ｂに向かう光路となる。この結果、カップラ１３０からの光に関し、光源１０２に向かう光路よりも、第２検出器１２０ｂに向かう光路に多くの光が導かれる。第２検出器１２０ｂに向かう光路を経由した測定光は、第２参照光路１１０ｂからの光と干渉した後、第２検出器１２０ｂにて第２干渉信号として検出される。
【００７３】
上記構成をまとめると、カップラ１３０の光量分割比Ｓ２に関して、第１検出器１２０ａに向かう光路＜カップラ１０４に向かう光路であり、カップラ１０４の光量分割比Ｓ４に関して、光源１０２に向かう光路＜第２検出器１２０ｂに向かう光路にて設定されている。
【００７４】
この結果として、第１検出器１２０ａにて検出される第１干渉信号と、第２検出器１２０ｂにて検出される第２干渉信号と、を適度なバランスにて検出できる。つまり、カップラ１０４を経由して第２検出器１２０ｂに向かう光路の場合、導光光学系１５０からの光は、複数の光分割器（例えば、カップラ１３０、カップラ１０４）を経由するので、光量減衰の回数が多いのに対し、第１検出器１２０ａに向かう光路の場合、導光光学系１５０からの光は、カップラ１３０を経由して第１検出器１２０ａに達するので、光量減衰の回数が相対的に少ない。
【００７５】
そこで、カップラ１３０の光量分割比Ｓ２に関して、第１検出器１２０ａに向かう光路＜カップラ１０４に向かう光路であり、カップラ１０４の光量分割比Ｓ４に関して、光源１０２に向かう光路＜第２検出器１２０ｂに向かう光路であることで、光量減衰が複数回行われたとしても、光量減衰を軽減でき、結果として、第１検出器１２０ａと第２検出器１２０ｂとの間で信号強度の差異を少なくできる。したがって、第１検出器１２０ａによって得られるＯＣＴデータと第２検出器１２０ｂによって得られるＯＣＴデータとの信号強度の差異が少なくなり、それぞれ適正なＯＣＴデータを取得できる。
【００７６】
なお、カップラ１３０の光量分割比Ｓ２と、カップラ１０４の光量分割比Ｓ４に関して、第１検出器１２０ａに向かう光路と第２検出器１２０ｂに向かう光路との光量比が同一となるように設定されてもよい。その一例としては、カップラ１３０の光量分割比Ｓ２に関して、第１検出器１２０ａに向かう光路：カップラ１０４に向かう光路＝６：４、カップラ１０２の光量分割比Ｓ４に関して、光源１０２に向かう光路：第２検出器１２０ｂに向かう光路＝１：２となるように設定されてもよい。
【００７７】
上記に限定されず、カップラ１３０の光量分割比Ｓ２と、カップラ１０４の光量分割比Ｓ４に関して、第１検出器１２０ａと第２検出器１２０ｂによって検出されるＯＣＴデータの撮影部位での反射光量の違いを考慮して、光量分割比が設定されてもよい。つまり、被検眼Ｅの角膜からの反射光は反射光量が大きいが、被検眼Ｅの水晶体及び眼底からの光は反射光量が相対的に少ない。そこで、撮影部位による反射光量比を考慮して、結果として、第１検出器１２０ａと第２検出器１２０ｂとの間でのＯＣＴデータの信号強度が同一となるように、カップラ１３０の光量分割比Ｓ２と、カップラ１０４の光量分割比Ｓ４が設定されてもよい。
【００７８】
なお、本実施例において、導光光学系１５０からの光を複数の検出器に導光させる際、１つの光分割器（例えば、カップラ１３０）を介して第１検出器１２０ａに向かう光と、複数のカップラ（例えば、カップラ１３０、カップラ１０４）を介して第２検出器１２０ｂに向かう光に分けたのは、導光光学系１５０からの光をより多く効率的に各検出器へと導かせるためである。このような光学配置は、光源１２０の出射光量が限られており、被検眼Ｅからの反射光が微弱であるような場合に、特に有利である。
【００７９】
＜偏波調整機構＞
本実施例のＯＣＴ光学系１００においては、複数の偏光調整部が設けられてもよく、例えば、ＯＣＴ光学系１００の光路には、第１偏光調整部３００、第２偏光調整部３０２、第３の偏光調整部３０４が設けられてもよい（図１参照）。
【００８０】
第１偏光調整部３００は、第１参照光路１１０ａの光路に配置され、第１参照光路１１０ａを経由する参照光の偏光状態を調整するために設けられてもよい。第２偏光調整部３０２は、第２参照光路１１０ｂの光路に配置され、第２参照光路１１０ｂを経由する参照光の偏光状態を調整するために設けられてもよい。第３の偏光調整部３０４は、ＦＰＮ生成光学系２００の光路に配置され、ＦＰＮ生成光学系２００の光路を経由する光の偏光状態を調整するために設けられてもよい。
【００８１】
＜深さ情報の取得＞
光源１０２により出射波長が変化されると、これに対応する干渉信号光が検出器１２０に受光され、結果的に、スペクトル信号として検出器１２０によって検出される。制御部７０は、検出器１２０によって検出されたスペクトル信号を処理（フーリエ解析）し、被検眼のＯＣＴデータを得る。
【００８２】
スペクトル信号（スペクトルデータ）は、波長λの関数として書き換えられ、波数ｋ（＝２π／λ）に関して等間隔な関数Ｉ（ｋ）に変換されてもよい。あるいは、初めから波数ｋに関して等間隔な関数Ｉ（ｋ）として取得されてもよい（Ｋ−ＣＬＯＣＫ技術）。制御部７０は、波数ｋ空間でのスペクトル信号をフーリエ変換することにより、深さ（Ｚ）領域におけるＯＣＴデータを得てもよい。
【００８３】
さらに、フーリエ変換後の情報は、Ｚ空間での実数成分と虚数成分を含む信号として表されてもよい。制御部７０は、Ｚ空間での信号における実数成分と虚数成分の絶対値を求めることによりＯＣＴデータを得てもよい。
【００８４】
本実施例では、制御部７０は、第１検出器１２０ａによって検出された第１干渉信号を処理して第１ＯＣＴデータを得ると共に、第２検出器１２０ｂによって検出された第２干渉信号を処理して第２ＯＣＴデータを得てもよい。ここで、第１参照光路１１０ａと第２参照光路１１０ｂとが異なる光路長に設定される場合、第１ＯＣＴデータと第２ＯＣＴデータは、深さ方向に関して少なくとも一部が異なる領域のＯＣＴデータが取得され、第１参照光路１１０ａと第２参照光路１１０ｂとが同じ光路長に設定される場合、第１ＯＣＴデータと第２ＯＣＴデータは、深さ方向に関して同じ領域のＯＣＴデータが取得される。
【００８５】
＜制御系＞
制御部７０は、ＣＰＵ（プロセッサ）、ＲＡＭ、ＲＯＭ等を備えてもよい（図１参照）。例えば、制御部７０のＣＰＵは、ＯＣＴ装置１の制御を司ってもよい。制御部７０のＲＡＭは、各種情報を一時的に記憶する。制御部７０のＲＯＭには、ＯＣＴ装置１の動作を制御するための各種プログラム、初期値等が記憶されてもよい。
【００８６】
制御部７０には、記憶部としての不揮発性メモリ（メモリ）７２、表示部７５、等が電気的に接続されてもよい。メモリ７２には、電源の供給が遮断されても記憶内容を保持できる非一過性の記憶媒体が用いられてもよい。例えば、ハードディスクドライブ、フラッシュＲＯＭ、および、ＯＣＴ装置１に着脱可能に装着されるＵＳＢメモリ等を使用することができる。メモリ７２には、ＯＣＴデータの取得及びＯＣＴ画像の撮影を制御するための制御プログラムが記憶されてもよいし、ＦＰＮを用いてＯＣＴ画像を合成するための演算処理プログラム、各波数成分のマッピング状態を補正するための補正情報を得る演算処理プログラム、等が記憶されてもよい。また、メモリ７２には、ＯＣＴデータから生成されるＯＣＴ画像の他、撮影に関する各種情報が記憶されてもよい。表示部７５は、ＯＣＴデータから生成されるＯＣＴ画像を表示してもよい。
【００８７】
＜ＦＰＮを用いた画像合成＞
制御部７０は、第１干渉信号に基づく第１ＯＣＴデータと、第２干渉信号に基づく第２ＯＣＴデータとを、第１検出器１２０ａによって検出されたＦＰＮ信号と第２検出器１２０ｂによって検出されたＦＰＮ信号とに基づいて合成することによって合成ＯＣＴデータを得てもよい（図３〜図５参照）。つまり、ＦＰＮ信号は、複数のＯＣＴデータを合成するための基準信号として用いられてもよい。ここで、第２ＯＣＴデータは、第１ＯＣＴデータに対して被検眼上の深さ領域の少なくとも一部が異なってもよい。
【００８８】
一例としては、ＦＰＮ生成光学系２００においてＦＰＮ発生用の光学部材（例えば、光学部材２０４、２０６）の配置位置は既知であるから、第１ＯＣＴデータと第２ＯＣＴデータとの位置関係を、ＦＰＮ信号を用いて設定してもよい。これによって、第１ＯＣＴデータと第２ＯＣＴデータとの位置関係を適正に設定できる。なお、本実施例では、第１ＯＣＴデータが第１検出器１２０ａにて検出されると同時に、第２ＯＣＴデータが第２検出器１２０ｂにて検出されるので、被検眼の移動などによる位置ズレも軽減できる。
【００８９】
例えば、ＦＰＮ生成光学系２００は、第１のＦＰＮを発生させる第１の光学部材（例えば、第１の光学部材２０４）と、第１のＦＰＮとは異なる位置に第２のＦＰＮを発生させる第２の光学部材（例えば、第２の光学部材２０６）と、を少なくとも備え、少なくとも２つのＦＰＮ信号を生成するためのＦＰＮ生成光学系であってもよい。
【００９０】
図３と図４はＦＰＮ信号を用いて複数のＯＣＴデータを合成する場合のデータの一例を示す図であり、図３は合成前、図４は合成後のイメージ図である。ＦＰＮ１は第１の光学部材２０４によって生成されたＦＰＮ信号であり、ＦＰＮ２は第２の光学部材２０６によって生成されたＦＰＮ信号である。
【００９１】
図３においては、第１ＯＣＴデータにＦＰＮ１が形成され、第２ＯＣＴデータにＦＰＮ２が形成される。第１ＯＣＴデータは、第１参照光路１１０ａ及び第１検出器１２０ａを用いて取得され、第２ＯＣＴデータは、第２参照光路１１０ｂ及び第２検出器１２０ｂを用いて取得されてもよい。
【００９２】
ＦＰＮ信号を用いてＯＣＴデータ間の位置関係を設定する場合、制御部７０は、例えば、第１ＯＣＴデータに含まれるＦＰＮ１と第２ＯＣＴデータに含まれるＦＰＮ２を用いてＯＣＴデータ間の位置関係を設定してもよい。ここで、制御部７０は、深さ方向におけるＦＰＮの位置を検出し、ＦＰＮの検出位置を基準として複数のＯＣＴデータを合成してもよい（図４参照）。
【００９３】
ここで、第１の光学部材２０４と第２の光学部材２０６との間の位置関係は既知であるから（例えば、光路長ΔＤ）、制御部７０は、第１ＯＣＴデータと第２ＯＣＴデータとを合成する場合、ＦＰＮ１とＦＰＮ２の位置を検出し、ＦＰＮ１の検出位置とＦＰＮ２の検出位置とが光路長ΔＤ分離間するように合成してもよい。なお、複数のＯＣＴデータ間の重複部分に関する合成について、いずれか一方のＯＣＴデータを用いるようにしてもよいし、両方のＯＣＴデータの平均を求めるようにしてもよい。
【００９４】
制御部７０は、上記のようにして合成された合成ＯＣＴデータに基づいて被検眼Ｅの寸法（例えば、前房深度、眼軸長等）を測定してもよく、さらに、得られた測定結果を表示部７５上に表示してもよい。
【００９５】
図５は、ＦＰＮ信号を用いて複数のＯＣＴデータを合成する場合のデータの変容例を示す図であり、第３のＯＣＴデータには、ＦＰＮ１とＦＰＮ２が形成されている。ここで、第３のＯＣＴデータは、第１参照光路１１０ａ及び第１検出器１２０ａを用いて取得されてもよく、第１参照光路１１０ａの光路長が調整されることで、第３のＯＣＴデータが取得されてもよい。
【００９６】
ここで、制御部７０は、第３のＯＣＴデータを利用して、第１ＯＣＴデータと第２ＯＣＴデータとの位置関係を設定してもよい。この場合、制御部７０は、例えば、第１ＯＣＴデータ上でのＦＰＮ１の検出位置と、第３のＯＣＴデータ上でのＦＰＮ１の検出位置が、深さ方向に関して同じ位置となるように位置関係を設定してもよく、さらに、制御部７０は、例えば、第２ＯＣＴデータ上でのＦＰＮ２の検出位置と、第３のＯＣＴデータ上でのＦＰＮ２の検出位置が、深さ方向に関して同じ位置となるように位置関係を設定してもよい。これによれば、仮に、ＦＰＮ発生用の光学部材の位置が経年変化によって変動したとしても、実際の位置関係を利用できるので、第１ＯＣＴデータと第２ＯＣＴデータとの位置関係をより安定的に設定可能である。
【００９７】
なお、深さ方向におけるＦＰＮの位置を検出する場合、例えば、制御部７０は、検出器１２０ａ、１２０ｂにて取得されたＯＣＴデータを処理し、ＦＰＮ発生用の光学部材（例えば、第１の光学部材２０４又は第２の光学部材２０６）によるＦＰＮ信号を抽出してもよい。ＦＰＮ信号の信号強度は既知であるから、制御部７０は、例えば、ＯＣＴデータの各輝度信号に対し、ＦＰＮ信号を得るために設定された閾値を超えるか否を判定することによって、ＦＰＮ発生用の光学部材に対応するＦＰＮ信号（基準信号）を抽出できる。なお、ＦＰＮ１とＦＰＮ２は、既知の配置を利用して判別可能である。
【００９８】
なお、上記手法に限定されず、図５の第３のＯＣＴデータを第１ＯＣＴデータとし、図５の第２ＯＣＴデータとして、これらを合成するようにしてもよい（図６参照）。この場合、第１ＯＣＴデータには、ＦＰＮ１とＦＰＮ２が形成され、第２ＯＣＴデータには、ＦＰＮ２が形成される。第１ＯＣＴデータは、第１参照光路１１０ａ及び第１検出器１２０ａを用いて取得され、第２ＯＣＴデータは、第２参照光路１１０ｂ及び第２検出器１２０ｂを用いて取得されてもよい。
【００９９】
この場合、制御部７０は、ＦＰＮ２の位置を検出し、その検出位置を利用してＯＣＴデータ間の位置関係を設定してもよいし、第１ＯＣＴデータのＦＰＮ２と、第２ＯＣＴデータのＦＰＮ２とを画像処理によってマッチングさせることによって位置関係を設定してもよい。この場合、制御部７０は、合成ＯＣＴデータにおいて、第１ＯＣＴデータのＦＰＮ１と第２ＯＣＴデータのＦＰＮ１とが深さ方向において一致するように合成を行ってもよい。
【０１００】
なお、本実施例において、ＦＰＮ生成光学系２００について、第１の光学部材２０４が配置された第１の光路２０３と、第２の光学部材２０６が配置された第２の光路２０５は、互いに等しい光学的分散量に設定（構築）されている。この結果として、ＦＰＮによるＰＳＦ信号は相似形となるので、例えば光源の質が悪く、ＰＳＦが単峰性でない場合などでも、相応するピーク位置を検出しやすく、離間を容易に決定することが出来る。
【０１０１】
また、図６のように、一つのＦＰＮを用いて画像合成を行う一例として考えることも可能である。ＦＰＮ１の生成は必ずしも必須ではない。つまり、本実施例のＦＰＮ生成光学系２００が、一つのＦＰＮ発生用の光学部材を備える場合であっても、画像合成は可能であり、装置の構成の簡略化が可能だが、複数のＦＰＮ信号を用いる場合と比較して深さ方向の撮像可能範囲が狭くなると共に、異なるＯＣＴデータ間での重複領域が多くなる。一方、共通領域を設ける場合は、複数のＦＰＮ信号を用いることで、深さ方向の撮像可能範囲が広くできると共に、異なるＯＣＴデータ間での重複領域を少なくできる。その他、間に不連続な領域を含んでもよい。この場合も、両者の離間が正確にわかるので、例えば眼の調節機能を調べたりする場合に有用である。
【０１０２】
なお、本実施例に係るＦＰＮ生成光学系２００について、ＯＣＴデータの合成に用いるＦＰＮ発生用の光学部材（例えば、第１の光学部材２０４、第２の光学部材２０６）は空気中に配置されており、その表面反射によって生成されたＦＰＮが画像合成に利用されるため、この結果としてＦＰＮの信号強度（ＳＮＲ）の低下等を軽減でき、ＦＰＮを用いたＯＣＴデータの合成を正確に行うことができる。
【０１０３】
なお、ＦＰＮ信号を得るタイミングとしては、例えば、電源投入時に実施されてもよいし、被検者が変更される毎に実施されてもよい。また、ＯＣＴ光学系における撮影条件を最適化する最適化制御の際に実施されてもよい。もちろん、これに限定されず、常時実施されてもよい。例えば、制御部は、ＦＰＮ信号を含むＯＣＴデータを予め取得しておき、予め取得されたＦＰＮ信号を用いて、後に取得されたＯＣＴデータの合成、マッピング状態の補正、偏光調整等を行うようにしてもよい。
【０１０４】
＜制御動作＞
以下、上記の構成を備えるＯＣＴ装置１の制御動作について説明する。本実施例におけるＯＣＴ装置１は、被検眼Ｅの前眼部におけるＯＣＴデータを取得する前眼部撮影モードと、被検眼Ｅの眼底におけるＯＣＴデータを取得する眼底撮影モードと、を手動または自動によるモード切換信号に応じて切り換え可能な構成であってもよい。この場合、制御部７０は、導光光学系１５０を制御して、前眼部のＯＣＴデータを取得するための光学配置、あるいは眼底のＯＣＴデータを取得するための光学配置に切り換える。より詳細には、例えば、前眼部撮影モード設定時には、測定光の集光位置が被検眼Ｅの前眼部上に形成されるように、導光光学系１５０の光学配置を切り換えてもよい。また、例えば、眼底撮影モード設定時には、測定光の集光位置が眼底上に形成されるように、導光光学系１５０の光学配置を切り換えてもよい。なお、導光光学系１５０の光学配置の切り換えに係る構成については、例えば、特開２０１６−２０９５７７号公報を参照されたい。
【０１０５】
また、本実施例におけるＯＣＴ装置１は、眼底撮影モードとして、被検眼Ｅの眼底中心部と眼底周辺部を含む広角領域でのＯＣＴデータを取得する広角眼底撮影モードを設定することができる。例えば、上述した通常の眼底撮影モードと、広角眼底撮影モードと、は切り換え可能な構成であってもよい。また、例えば、広角眼底撮影モードにおいては、光スキャナ１５６による眼底上での測定光の走査範囲が、眼底の中心部と周辺部を含む広角領域に設定されてもよい。この場合、広角撮影用のレンズアタッチメントが用いられてもよい。以下の実施例においては、検者が広角眼底撮影モードを設定し、被検眼Ｅの眼底中心部と眼底周辺部のＯＣＴデータを取得する場合を例に挙げる。
【０１０６】
＜被検眼のアライメント＞
検者は、図示なき固視標投影系が備える固視標を注視するよう被検者に指示する。被検眼Ｅには、図示なき指標投影系の光源が点灯することにより、アライメント指標像が投影される。また、被検眼Ｅの前眼部は、図示なき正面像撮像系によって検出され、その前眼部観察像がモニタ７５に表示される。例えば、制御部７０は、アライメント指標像を用いて被検眼Ｅと導光光学系１５０とのアライメント状態を検出し、被検眼Ｅの角膜頂点位置（または、略角膜頂点位置）と測定光軸とを一致させる自動アライメントを行う。なお、被検眼Ｅに対する導光光学系１５０のアライメントは、検者が図示なきジョイスティック等の操作部材を操作することにより、手動で被検眼Ｅの角膜頂点位置と測定光軸とを一致させる構成としてもよい。
【０１０７】
＜撮影モードの設定＞
被検眼Ｅのアライメントが完了すると、検者はモニタ７５に表示された図示なきモード選択ボタンを操作して、広角眼底撮影モードを設定する。もちろん、アライメント完了の出力信号に応じて、制御部７０が自動で広角眼底撮影モードを設定してもよい。広角眼底撮影モードが設定されると、制御部７０は、測定光と参照光の少なくともいずれかの光路長を調整する。例えば、本実施例において、参照光の光路長は、被検眼Ｅの眼底中心部を含む後述の第１ＯＣＴデータを得るために設定された光路長を有する第１参照光路１１０ａであってもよい。また、参照光の光路長は、被検眼Ｅの眼底周辺部を含む後述の第２ＯＣＴデータを得るために設定された光路長を有する第２参照光路１１０ｂであってもよい。例えば、制御部７０は、測定光と、第１参照光路１１０ａによる第１参照光と、の第１干渉信号が第１検出器１２０ａから検出されるように光路長を設定し、測定光と、第２参照光路１１０ｂによる第２参照光と、の第２干渉信号が第２検出器１２０ｂから検出されるように光路長を設定してもよい。
【０１０８】
ここで、眼は眼球を中心として球状となっており、眼底は眼底中心部を底部とする凹形状となっているところ、測定光は瞳孔中心付近を中心に旋回され眼底を走査される。この場合、走査中心から眼底中心部までの光路長よりも、走査中心から眼底周辺部までの光路長の方が短くなる。通常、干渉信号を得る際の深さ方向の撮像可能範囲はゼロディレイ位置から所定距離であり、眼底を広角に走査した場合には、深さ方向に関して撮像可能範囲から外れてしまう可能性がある。
【０１０９】
そこで、例えば、眼底中心部と眼底周辺部との間の光路長差を考慮して第１参照光路１１０ａと第２参照光路１１０ｂとの間の光路長差が設定されるとともに、被検眼眼底に対して測定光と参照光の光路長差が調整されることで、検出器１２０は眼底中心部からの第１干渉信号と、眼底周辺部からの第２干渉信号と、を検出可能になる。この場合、例えば、第１参照光路１１０ａの光路長が、眼底中心部からの測定光の光路長に合わせて設定され、第２参照光路１１０ｂの光路長が、眼底周辺部からの測定光の光路長に合わせて設定されてもよい。また、この場合、眼球形状を考慮し、眼底周辺部に対応する参照光路１１０ｂの方が、眼底中心部に対応する参照光路１１０ａよりも光路長が短く設定されてもよい。もちろん、場合によっては、眼底周辺部に対応する参照光路１１０ｂの方が、眼底中心部に対応する参照光路１１０ａよりも光路長が長く設定されてもよい。
【０１１０】
例えば、このように、第１参照光路１１０ａの光路長と、第２参照光路１１０ｂの光路長と、を適切に設定することで、第１検出器１２０ａは、被検眼Ｅの眼底中心部に導かれた測定光と、第１参照光路１１０ａによる第１の参照光と、による第１干渉信号を検出することができる。また、第２検出器１２０ｂは、被検眼Ｅの眼底周辺部に導かれた測定光と、第２参照光路１１０ｂによる第２の参照光と、の第２干渉信号を検出することができる。なお、第１検出器１２０ａが検出した第１干渉信号は、第１スペクトル干渉信号として第１検出器１２０ａから制御部７０へと出力される。また、第２検出器１２０ｂが検出した第２干渉信号は、第２スペクトル干渉信号として第２検出器１２０ｂから制御部７０へと出力される。
【０１１１】
＜撮影条件の調整＞
例えば、制御部７０は、第１干渉信号の検出によって第１検出器１２０ａから出力される第１スペクトル干渉信号と、第２干渉信号の検出によって第２検出器１２０ｂから出力される第２スペクトル干渉信号と、に基づいて、第１ＯＣＴデータ及び第２ＯＣＴデータを取得するための撮影条件を調整する。例えば、撮影条件の調整としては、測定光と第１参照光との光路長差及び測定光と第２参照光との光路長差を調整する光路長調整が行われてもよい。被検眼Ｅの眼底中心部及び眼底周辺部に対する合焦位置を調整するフォーカス調整が行われてもよい。測定光と第１参照光との偏光状態及び測定光と第２参照光との偏光状態を調整するポラライザ調整が行われてもよい。
【０１１２】
例えば、本実施例においては、第１自動光路長調整、フォーカス調整、第２自動光路長調整、ポラライザ調整、の順に最適化制御を行うことで、撮影条件が調整される。例えば、制御部７０は、カップラ１５３及びコリメータレンズ１５４の位置を初期位置に設定する。また、例えば、制御部７０は、フォーカスレンズ１５５を初期位置に設定する。このような初期化が完了すると、制御部７０は、カップラ１５３及びコリメータレンズ１５４を一体的に初期位置から一方向に移動させ、第１光路長調整（第１自動光路長調整）を行う。第１光路長調整が完了すると、制御部７０は、被検眼Ｅの眼底中心部及び眼底周辺部に合焦するように、フォーカスレンズ１５５を初期位置から一方向に移動させ、フォーカス調整（オートフォーカス調整）を行う。フォーカス調整が完了すると、制御部７０は、カップラ１５３及びコリメータレンズ１５４を一体的に移動させ、光路長を再調整（微調整）するための第２光路長調整（第２自動光路長調整）を行う。第２光路長調整が完了すると、制御部７０は、干渉信号を強く検出できる位置（すなわち、測定光と参照光との偏光状態が合う位置）に第１偏光調整部３００及び第２偏光調整部３０２移動させ、ポラライザ調整を行う。なお、光路長調整と、フォーカス調整と、ポラライザ調整と、は少なくともいずれかが行われる構成であってもよい。例えば、これらを調整して撮影条件を最適化することで、検者は所望の撮影部位を高感度・高解像度で観察できるようになる。
【０１１３】
以下、フォーカス調整を行う場合を例に挙げて、撮影条件の最適化についてより詳細に説明する。図７はフォーカスレンズ１５５の移動方向を説明する図である。例えば、制御部７０は、広角眼底撮影モードが設定されると、導光光学系１５０に配置されたフォーカスレンズ１５５の初期化を開始して、フォーカスレンズ１５５を初期位置に配置する。例えば、初期位置としては、初期化を開始する以前に配置されていたフォーカスレンズ１５５の位置から、移動限界位置Ｋ１または移動限界位置Ｋ２により近い側の位置が選択されるようにしてもよい。例えば、移動限界位置とは、光軸上におけるフォーカスレンズ１５５の可動範囲の限界位置である。例えば、これによって、本実施例では、フォーカスレンズ１５５が移動限界位置Ｋ１を初期位置として配置される。もちろん、制御部７０は、異なる基準に基づいて、移動限界位置Ｋ１または移動限界位置Ｋ２のいずれかをフォーカスレンズ１５５の初期位置として選択してもよい。なお、フォーカスレンズ１５５の初期位置は、移動限界位置とは異なる位置（例えば、可動範囲の中央等）であってもよい。
【０１１４】
例えば、制御部７０は、フォーカスレンズ１５５を光軸方向に移動させることによって、被検眼Ｅに対するフォーカスを調整する。例えば、本実施例においては、フォーカスレンズ１５５が移動限界位置Ｋ２に近づく方向（すなわち、図７における矢印Ａ方向）に移動される。なお、ＯＣＴ光学系１００において、フォーカスレンズ１５５は、第１検出器１２０ａに向かう光路を経由する測定光（すなわち、被検眼Ｅの眼底中心部からの測定光）と、第２検出器１２０ｂに向かう光路を経由する測定光（すなわち、被検眼Ｅの眼底周辺部からの測定光）と、における共通の光路中に設けられている。このため、制御部７０は、被検眼Ｅの眼底中心部及び眼底周辺部に対する合焦位置を、共通のフォーカス部材（つまり、フォーカスレンズ１５５）の駆動によって、同時に調整することができる。
【０１１５】
例えば、制御部７０は、フォーカスレンズ１５５の各移動位置において、第１スペクトル干渉信号及び第２スペクトル干渉信号をそれぞれ取得する。フォーカスレンズ１５５の移動は、予め設定された所定のステップ毎（例えば、０．５Ｄ毎、等）であってもよいし、検者が任意に設定したステップ毎であってもよい。例えば、制御部７０は、フォーカスレンズ１５５の移動にともなって、第１検出器１２０ａから出力される第１スペクトル干渉信号と、第２検出器１２０ｂから出力される第２スペクトル干渉信号と、のそれぞれを連続的に取得する。
【０１１６】
例えば、制御部７０は、フォーカスレンズ１５５の移動にともなって連続的に取得される第１スペクトル干渉信号と第２スペクトル干渉信号との信号強度に基づいて、後述する第１ＯＣＴデータ及び第２ＯＣＴデータを取得するための撮影条件を調整してもよい。なお、本実施例においては、第１スペクトル干渉信号と第２スペクトル干渉信号の信号強度として、それぞれを処理することで取得した第１ＯＣＴデータと第２ＯＣＴデータの輝度情報に基づいて、撮影条件を調整する場合を例に挙げて詳細を説明する。なお、撮影条件の調整は、第１スペクトル干渉信号と第２スペクトル干渉信号との信号強度に基づいて取得されたＳ／Ｎ比（Signal to Noise ratio）、特定信号（例えば、ＣＯＳＴラインや疾患部位）における鮮鋭度、コントラスト情報、ハレーションの有無もしくは面積、等の少なくともいずれかに基づいて行われてもよい。
【０１１７】
＜評価値の算出＞
例えば、制御部７０は、第１ＯＣＴデータと、第２ＯＣＴデータと、のそれぞれから輝度値を求め、これを用いてそれぞれの評価値Ｂを算出する。例えば、評価値Ｂは各ＯＣＴデータの信号強度を示す指標であり、Ｂ＝（（ＯＣＴ画像の平均最大輝度値）−（ＯＣＴ画像の背景領域の平均輝度値））／（背景領域の輝度値の標準偏差）の式より求めることができる。
【０１１８】
ここで、例えば、制御部７０は、フォーカスレンズ１５５を移動させることにより、第１ＯＣＴデータ３６０として、被検眼Ｅの眼底中心部３３０を含むＯＣＴデータを取得する。また、例えば、制御部７０は、フォーカスレンズ１５５を移動させることにより、第２ＯＣＴデータ３７０として、被検眼Ｅの眼底周辺部３４０を含むＯＣＴデータを取得する。
【０１１９】
図８はＯＣＴデータ上を走査する走査線と輝度値の変化を説明する図である。図８（ａ）は第１ＯＣＴデータ３６０上を走査する走査線を示している。図８（ｂ）は第１ＯＣＴデータ３６０のある走査線上における輝度値の変化を示している。図８（ｃ）は第２ＯＣＴデータ３７０上を走査する走査線を示している。例えば、制御部７０は、第１ＯＣＴデータ３６０において、深さ方向（すなわち、Ａスキャン方向）に走査する複数の走査線ｉｎを設定する。例えば、ｎは走査線の番号を表しており、１０本の走査線を設定した場合、ｎは１〜１０のそれぞれの数字となる。
【０１２０】
例えば、制御部７０は、各走査線ｉｎのそれぞれにおいて輝度値の最大値（最大輝度値）を求める。また、例えば、制御部７０は、第１ＯＣＴデータ３６０の平均最大輝度値として、各走査線ｉｎにおける最大輝度値の平均値を算出する。さらに、例えば、制御部７０は、第１ＯＣＴデータ３６０の背景領域の平均輝度値として、各走査線ｉｎにおける背景領域の輝度値の平均値を算出する。これによって、制御部７０は、前述の式より第１ＯＣＴデータ３６０の評価値Ｂ１を求めることができる。
【０１２１】
例えば、第２ＯＣＴデータ３７０の評価値Ｂ２は、第１ＯＣＴデータ３６０の評価値Ｂ１と同様にして求めることができる。すなわち、制御部７０は、第２ＯＣＴデータ３７０において深さ方向に走査する複数の走査線ｉｎを設定し、各走査線上の輝度値を算出することで、第２ＯＣＴデータ３７０の評価値Ｂ２を求めることができる。例えば、制御部７０は、フォーカスレンズ１５５の各移動位置にて取得された第１ＯＣＴデータ３６０の評価値Ｂ１及び第２ＯＣＴデータ３７０の評価値Ｂ２と、フォーカスレンズ１５５の移動位置と、を対応付けてメモリ７２に記憶する。
【０１２２】
なお、第１ＯＣＴデータ３６０と第２ＯＣＴデータ３７０は、被検眼Ｅにおける測定光の反射率に基づいて取得されているので、眼底中心部３３０と眼底周辺部３４０における輝度は高く（明るく）なり、これら以外の部分（すなわち、前述の背景領域）における輝度は低く（暗く）なる。また、被検眼Ｅの眼底中心部３３０には測定光が垂直に照射されるが、眼底周辺部３４０には測定光が垂直に照射されないため、眼底周辺部は眼底中心部に比べて測定光の反射光が散乱しやすく、眼底中心部よりも輝度が低くなる。このため、第２ＯＣＴデータ３７０の評価値Ｂ２は、第１ＯＣＴデータ３６０の評価値Ｂ１よりも低くなる傾向にある。そこで、例えば、制御部７０は、各ＯＣＴデータに対して所定のウェイト（重み）を付けて、評価値Ｂ１と評価値Ｂ２とを算出するようにしてもよい。例えば、このようなウェイトは、予め実験やシミュレーション等の結果に基づいて設定しておいてもよい。また、このようなウェイトは、検者が観察したい眼底領域に応じて、その比率を変更できるようにしてもよい。
【０１２３】
図９はフォーカスレンズ１５５の各移動位置における評価値をグラフに表した図である。図９（ａ）は光軸上のすべての位置にフォーカスレンズ１５５を移動させた場合の一例である。図９（ｂ）は後述する駆動制御によりフォーカスレンズ１５５を停止させた場合の一例である。実線は第１ＯＣＴデータ３６０の評価値Ｂ１を示し、点線は第２ＯＣＴデータ３７０の評価値Ｂ２を示している。また、縦軸は評価値Ｂを示し、横軸は光軸上におけるフォーカスレンズ１５５の移動位置を示している。例えば、制御部７０は、初期位置Ｋ１から移動限界位置Ｋ２に向かってフォーカスレンズ１５５を移動させる際、すべての範囲にフォーカスレンズ１５５を移動させることで、図９（ａ）に示すような評価値Ｂ１及び評価値Ｂ２の分布を求めてもよい。
【０１２４】
また、例えば、制御部７０は、初期位置Ｋ１から移動限界位置Ｋ２に向かってフォーカスレンズ１５５を移動させる際、第１ＯＣＴデータ３６０の評価値Ｂ１と第２ＯＣＴデータ３７０の評価値Ｂ２との双方が減少したときには、フォーカスレンズ１５５の移動を停止してもよい。例えば、この場合、制御部７０は、フォーカスレンズ１５５のある移動位置Ｋｎにて取得した各ＯＣＴデータの評価値Ｂ１ｎ及びＢ２ｎと、フォーカスレンズ１５５を移動位置Ｋｎから所定のステップだけ移動させた移動位置Ｋｎ＋１にて取得した各ＯＣＴデータの評価値Ｂ１ｎ＋１及びＢ２ｎ＋１と、がＢ１ｎ＞Ｂ１ｎ＋１且つＢ２ｎ＞Ｂ２ｎ＋１となったときに、フォーカスレンズ１５５の移動を停止してもよい。つまり、各ＯＣＴデータにおける評価値が減少し始めた位置にて、フォーカスレンズ１５５の移動が停止されてもよい。なお、このとき、制御部７０は、評価値Ｂ１と評価値Ｂ２とが減少し始めても、予め決定されたステップ分（例えば、３ステップ分等）はフォーカスレンズ１５５を移動させ、評価値が徐々に減少することを認識したうえで、フォーカスレンズ１５５の移動を停止してもよい。例えば、制御部７０は、このような駆動制御により、図９（ｂ）に示すような評価値Ｂ１及び評価値Ｂ２の分布を求めてもよい。
【０１２５】
なお、上記においては、評価値Ｂ１と評価値Ｂ２との双方が減少した場合にフォーカスレンズ１５５の移動を停止するようにしているがこれに限定されない。例えば、評価値Ｂ１と評価値Ｂ２のいずれか一方が減少した場合に、フォーカスレンズ１５５の移動を停止するようにしてもよい。
【０１２６】
＜撮影条件の決定＞
例えば、制御部７０は、上述のようにして、フォーカスレンズ１５５の各移動位置に対する第１ＯＣＴデータ及び第２ＯＣＴデータの評価値を算出すると、これに基づいて、撮影時のフォーカスレンズ１５５の位置を決定する。例えば、撮影時のフォーカスレンズ１５５の位置は、第１ＯＣＴデータ３６０における評価値Ｂ１と、第２ＯＣＴデータ３７０における評価値Ｂ２と、を用いて計算される計算値Ｖが最大となる位置であってもよい。例えば、計算値Ｖは、各ＯＣＴデータの良否を示す指標であり、Ｖ＝（評価値Ｂ１と評価値Ｂ２の和）／（評価値Ｂ１と評価値Ｂ２の差の絶対値）の式より求めることができる。例えば、制御部７０は、計算値Ｖを算出し、その値が最大となる位置にフォーカスレンズ１５５を移動させてもよい。
【０１２７】
また、例えば、撮影時のフォーカスレンズ１５５の位置は、評価値Ｂ１と評価値Ｂ２との差の絶対値が最小となる位置であってもよい。例えば、この場合には、予め実験やシミュレーション等を行って、評価値に対する閾値を設定してもよい。例えば、制御部７０は、評価値Ｂ１と評価値Ｂ２とがともに閾値以上となる範囲内において、これらの差分の絶対値を算出し、その差の絶対値が最小となる位置にフォーカスレンズ１５５を移動させてもよい。
【０１２８】
例えば、制御部７０は、このようにしてフォーカスレンズ１５５の位置を調整することで、撮影条件を最適化することができる。
【０１２９】
＜第１ＯＣＴデータ及び第２ＯＣＴデータの取得＞
例えば、制御部７０は、上記のようにして撮影条件を調整すると、被検眼Ｅの眼底中心部に導かれた測定光と第１参照光との第１干渉信号に基づいて、眼底中心部を含む調整後の第１ＯＣＴデータ３８０を取得する。また、例えば、制御部７０は、被検眼Ｅの眼底周辺部に導かれた測定光と第２参照光との第２干渉信号に基づいて、眼底周辺部を含む調整後の第２ＯＣＴデータ３９０を取得する。
【０１３０】
図１０は撮影条件を調整した後に取得される第１ＯＣＴデータ３８０と第２ＯＣＴデータ３９０の一例を示す図である。例えば、制御部７０は、光スキャナ１５６を制御し、１回のＢスキャンによって眼底中心部３３０と眼底周辺部３４０を含む広角領域に測定光を走査することで、撮影条件が調整された後の第１ＯＣＴデータ３８０と第２ＯＣＴデータ３９０とを取得するようにしてもよい。
【０１３１】
例えば、水平方向に関して始点Ａから終点Ｄとする１回のＢスキャンが行われる場合、始点Ａから点Ｂ付近の眼底領域が走査されると、第２検出器１２０ｂからの出力信号に基づいて、眼底周辺部（左側）からの反射光と参照光とによるＯＣＴデータが取得される。また、第１検出器１２０ａからの出力信号に基づいて、眼底周辺部（左側）に近い眼底中心部からの反射光と参照光とによるＯＣＴデータが取得される。
【０１３２】
次に、点Ｂ付近から点Ｃ付近までの眼底領域が走査されると、第１検出器１２０ａからの出力信号に基づいて、眼底中心部からの反射光と参照光とによるＯＣＴデータが取得される。さらに、点Ｃ付近から終点Ｄまでの眼底領域が走査されると、第２検出器１２０ｂからの出力信号に基づいて、眼底周辺部（右側）からの反射光と参照光とによるＯＣＴデータが取得される。また、第１検出器１２０ａからの出力信号に基づいて、眼底周辺部（右側）に近い眼底中心部からの反射光と参照光とによるＯＣＴデータが取得される。
【０１３３】
例えば、制御部７０は、これによって、撮影条件が調整された後の第１ＯＣＴデータ３８０と第２ＯＣＴデータ３９０とを取得することができる。なお、制御部７０は、被検眼眼底上の複数の広角領域に関してＢスキャンをそれぞれ行うようにしてもよい（例えば、クロススキャン、マルチラインスキャン、ラジアルスキャン等）。また、制御部７０は、被検眼Ｅの眼底中心部３３０と眼底周辺部３４０を含む広角領域を複数回に分けてＢスキャンを行い、第１ＯＣＴデータ３８０と第２ＯＣＴデータ３９０とを取得するようにしてもよい。
【０１３４】
また、制御部７０は、１回のラスタースキャンによって、各走査ラインにて眼底中心部と眼底周辺部を含む広角領域に測定光を走査し、第１の３次元ＯＣＴデータと第２の３次元ＯＣＴデータを取得するようにしてもよい。この場合、ラスタースキャンを構成する複数の走査ラインに関してそれぞれ測定光が走査される。各走査ラインは、それぞれ広角領域に対応する走査範囲を有してもよい。これによって、広角領域での３次元ＯＣＴデータをスムーズに取得できる。この場合、例えば、制御部７０は、ラスタースキャンを構成する各走査ラインに関して複数回測定光を走査し、各走査ラインでの時間的に異なる複数のＯＣＴデータに基づいて広角での３次元モーションコントラストＯＣＴデータ（ＯＣＴアンジオデータ）を取得してもよい。
【０１３５】
なお、１回のＢスキャンにおける走査範囲は、図１０に示された正面画像に対する走査範囲に限定されるものではなく、さらに広角の眼底領域を走査する場合においても、本実施例の適用が可能であることはいうまでもない。この場合、２つの参照光路が用いられてもよいし、３つ以上の参照光路が用いられてもよい。
【０１３６】
＜合成ＯＣＴデータの取得＞
例えば、制御部７０は、撮影条件が調整された後の第１ＯＣＴデータ３８０と第２ＯＣＴデータ３９０とを取得すると、これらのＯＣＴデータを合成処理することによって、合成ＯＣＴデータ４００を取得する。例えば、この場合には、第１ＯＣＴデータ３８０と第２ＯＣＴデータ３９０とが深度方向に関して連続するように合成されてもよい。
【０１３７】
図１１は合成ＯＣＴデータ４００の一例を示す図である。例えば、制御部７０は、前述のＦＰＮ信号を用いた合成処理を行ってもよく、被検眼Ｅにおける眼底中心部及び眼底周辺部からの測定光の光路長と、ＦＰＮ生成光学系２００を経由した測定光の光路長と、が一致するように、ＦＰＮ生成光学系２００の光路長を設定してもよい。眼底中心部３３０のＯＣＴデータを含む第１ＯＣＴデータ３８０と、眼底周辺部３４０のＯＣＴデータを含む第２ＯＣＴデータ３９０と、を取得できるように、測定光と参照光との光路長差が設定された状態において、各ＯＣＴデータにＦＰＮ信号が含まれるように、ＦＰＮ生成光学系２００が設定されてもよい。
【０１３８】
なお、合成処理としては、ＦＰＮを用いた処理に限定されず、例えば、制御部７０は、第１ＯＣＴデータ３８０と第２ＯＣＴデータ３９０との間の重複領域を用いたマッチング処理によって、第１ＯＣＴデータ３８０と第２ＯＣＴデータ３９０の位置関係を規定してデータ合成を行ってもよい。また、制御部７０は、第１参照光路１１０ａと第２参照光路１１０ｂとの間の光路長差を利用して第１ＯＣＴデータ３８０と第２ＯＣＴデータ３９０の位置関係を規定してデータ合成を行ってもよい。その際、重複領域がある場合は、感度が高い側の信号を採用しても良いし、ノイズ・アーチファクトが少ない側を採用しても良い。また接続部で急激な変化が生じないように、接続部で各種スムーズ化等の処理がなされても良い。
【０１３９】
以上説明したように、例えば、本実施例におけるＯＣＴ装置は、第１干渉信号の検出によって第１検出器から出力される第１スペクトル干渉信号と、第２干渉信号の検出によって第２検出器から出力される第２スペクトル干渉信号と、に基づいて、第１ＯＣＴデータ及び第２ＯＣＴデータを取得するための撮影条件を調整し、撮影条件が調整された後に、眼底中心部に導かれた測定光と第１参照光との第１干渉信号に基づいて眼底中心部を含む第１ＯＣＴデータを得るとともに、眼底周辺部に導かれた測定光と第２参照光との第２干渉信号に基づいて眼底周辺部を含む第２ＯＣＴデータを得る。これによって、各ＯＣＴデータに生じる信号強度の差が小さくなるため、検者はバランスのとれた第１ＯＣＴデータと第２ＯＣＴデータをそれぞれ取得することができる。
【０１４０】
また、例えば、本実施例におけるＯＣＴ装置は、第１ＯＣＴデータと、第２ＯＣＴデータと、を合成処理することによって、合成ＯＣＴデータを取得する。これによって、検者は、被検眼Ｅにおける良好な広角のＯＣＴデータを取得することができる。
【０１４１】
＜変容例＞
なお、本実施例において、第１スペクトル干渉信号と、第２スペクトル干渉信号と、には被検眼Ｅの所定の領域のスペクトル干渉信号が含まれていてもよい。すなわち、第１スペクトル干渉信号と、第２スペクトル干渉信号と、がどちらも被検眼Ｅの所定の領域を含むように、第１参照光路１１０ａと第２参照光路１１０ｂの光路長差が設定されてもよい。例えば、被検眼Ｅの所定の領域とは、被検眼Ｅの疾患部位等であってもよいし、ゼロディレイ位置から一定の深さだけ離れた位置等であってもよい。
【０１４２】
例えば、各スペクトル干渉信号が所定の領域を含むことによって、第１ＯＣＴデータと第２ＯＣＴデータとのそれぞれには重複領域が設けられる。例えば、所定の領域は、被検眼Ｅにおける深さ方向に設けられてもよいし、横断方向に設けられてもよい。例えば、この場合には、制御部７０が、被検眼Ｅの所定の領域における第１スペクトル干渉信号と、第２スペクトル干渉信号と、に基づいて、第１ＯＣＴデータと第２ＯＣＴデータとを取得するための撮影条件を調整してもよい。
【０１４３】
例えば、このように、本実施例におけるＯＣＴ装置は、第１スペクトル干渉信号及び第２スペクトル干渉信号に被検眼の所定の領域のスペクトル干渉信号を含むことによって、第１ＯＣＴデータと第２ＯＣＴデータのそれぞれに重複領域を設けることができる。また、例えば、本実施例におけるＯＣＴ装置は、被検眼の所定の領域における第１スペクトル干渉信号と第２スペクトル干渉信号とに基づいて、第１ＯＣＴデータ及び第２ＯＣＴデータを取得するための撮影条件を調整する。これによって、第１ＯＣＴデータと第２ＯＣＴデータについて共通の領域を比較することができるため、撮影条件を容易に調整できるようになる。
【０１４４】
なお、本実施例においては、フォーカス調整時（撮影条件の調整時）において連続的に取得した第１ＯＣＴデータ３６０と第２ＯＣＴデータ３７０とがメモリ７２に記憶されている。このため、制御部７０は、撮影条件の調整後において第１ＯＣＴデータ３８０と第２ＯＣＴデータ３９０とを取得する際に、第１ＯＣＴデータ３６０と第２ＯＣＴデータ３７０とを利用するようにしてもよい。例えば、この場合、制御部７０は、フォーカス調整時において連続的に取得された第１ＯＣＴデータ３６０のうち、評価値が最も高くなった第１ＯＣＴデータをメモリ７２から呼び出して、撮影条件の調整後に取得された第１ＯＣＴデータに加算し、これを第１ＯＣＴデータ３８０としてもよい。同様に、制御部７０は、フォーカス調整時において連続的に取得された第２ＯＣＴデータ３７０のうち、評価値が最も高くなった第２ＯＣＴデータをメモリ７２から呼び出して、撮影条件の調整後に取得された第２ＯＣＴデータに加算し、これを第２ＯＣＴデータ３９０としてもよい。
【０１４５】
もちろん、制御部７０は、フォーカス調整時において連続的に取得された各ＯＣＴデータのうち、評価値が最も高くなったＯＣＴデータをメモリ７２から呼び出し、これを第１ＯＣＴデータ３８０及び第２ＯＣＴデータ３９０として、合成ＯＣＴデータ４００を取得するための合成処理を行うようにしてもよい。
【０１４６】
なお、本実施例においては、撮影条件の調整を輝度情報に基づいて行う構成を例に挙げて説明したがこれに限定されない。例えば、第１ＯＣＴデータ３８０及び第２ＯＣＴデータ３９０を取得するための撮影条件は、第１スペクトル干渉信号と、第２スペクトル干渉信号と、のコントラスト情報に基づいて調整されてもよい。以下、このような場合について、図１２を用いて説明する。
【０１４７】
図１２は第１ＯＣＴデータ３６０上を走査する走査線とコントラスト値の変化を説明する図である。図１２（ａ）は第１ＯＣＴデータ３６０上を走査する走査線を示している。図１２（ｂ）は第１ＯＣＴデータ３６０のある走査線上におけるコントラスト値の変化を示している。例えば、制御部７０は、第１ＯＣＴデータ３６０において、深さ方向に走査する複数の走査線ｉｎを設定すると、各走査線ｉｎのそれぞれにおいて、コントラスト値が最大となる最大ピーク位置Ｚｐと、最大ピーク位置Ｚｐにおけるコントラスト値Ｉｐ（言い換えると、最大コントラスト値Ｉｐ）と、を算出する。また、例えば、制御部７０は、最大ピークの立ち上がり位置Ｚｑと、最大ピークの立ち上がり位置Ｚｑにおけるコントラスト値Ｉｑと、を算出する。
【０１４８】
例えば、制御部７０は、第１スペクトル干渉信号から求めたピーク位置及びコントラスト値を用いて、各走査線ｉｎにおける評価値Ｃを算出する。例えば、評価値Ｃは、Ｃ＝（Ｉｐ−Ｉｑ）／（Ｚｐ−Ｚｑ）の式より求めることができる。例えば、制御部７０は、走査線ｉｎ毎に算出された評価値Ｃをすべて加算することにより、第１ＯＣＴデータ３６０の評価値Ｃ１を算出してもよい。なお、第２ＯＣＴデータ３７０についての説明は省略するが、第１ＯＣＴデータ３６０の評価値Ｃ１と同様にして、第２ＯＣＴデータ３７０の評価値Ｃ２を算出することができる。なお、評価値Ｃ１及び評価値Ｃ２は、第１ＯＣＴデータ３６０と第２ＯＣＴデータ３７０とが互いに接続する深さ位置、あるいは互いに重複する領域の深さ位置に近づくほど、高いウェイトを付けて計算されてもよい。このようなウェイトは、予め実験やシミュレーション等の結果に基づいて設定してもよい。
【０１４９】
例えば、制御部７０は、フォーカスレンズ１５５の各移動位置にて取得されたＯＣＴデータに対する評価値Ｃ１及び評価値Ｃ２を算出すると、フォーカスレンズ１５５の位置と対応付けてメモリ７２に記憶する。また、例えば、評価値Ｃ１及び評価値Ｃ２を用いて、前述のようにフォーカスレンズ１５５の移動を制御し、撮影条件を最適化してもよい。
【０１５０】
なお、本実施例では、輝度値またはコントラスト値を評価値として用いる構成を例に挙げて説明したがこれに限定されない。例えば、評価値としては、画像の情報量を表す指標である画像エントロピーを用いるようにしてもよい。
【０１５１】
なお、本実施例では、共通のフォーカス部材（すなわち、フォーカスレンズ１５５）を駆動させることで、被検眼Ｅの眼底中心部３３０及び眼底周辺部３４０に対する合焦位置を同時に調整する構成を例に挙げて説明したがこれに限定されない。例えば、被検眼Ｅの眼底中心部３３０及び眼底周辺部３４０に対する合焦位置は、それぞれを独立に調整可能な構成であってもよい。この場合には、測定光路にミラー等を配置して測定光を分割し、分割した２つの光路にフォーカス部材を設けてもよい。これによって、被検眼Ｅの眼底中心部３３０に対する合焦位置及び被検眼Ｅの眼底周辺部３４０に対する合焦位置がどちらも最適となるように、撮影条件を調整することができる。
【０１５２】
なお、本実施例では、フォーカス調整を行うことにより撮影条件を調整する構成を例に挙げて説明したがこれに限定されない。例えば、制御部７０は、光路長調整やポラライザ調整を行うことにより撮影条件を調整してもよい。例えば、光路長調整を行う場合、制御部７０は、カップラ１５３とコリメータレンズ１５４を一体的に移動させることにより、測定光の光路長を調整してもよい。なお、本実施例におけるＯＣＴ光学系１００では、カップラ１５３とコリメータレンズ１５４とが、第１検出器１２０ａに向かう光路を経由する測定光（すなわち、被検眼Ｅの眼底中心部からの測定光）と、第２検出器１２０ｂに向かう光路を経由する測定光（すなわち、被検眼Ｅの眼底周辺部からの測定光）と、における共通の光路中に設けられている。このため、制御部７０は、測定光と第１参照光との光路長差と、測定光と第２参照光との光路長差と、を共通の光学部材（つまり、カップラ１５３とコリメータレンズ１５４）の駆動によって、同時に調整することができる。
【０１５３】
例えば、上記では、共通の光学部材を駆動させることで、測定光と第１参照光との光路長差と、測定光と第２参照光との光路長差と、を同時に調整する構成を例に挙げているがこれに限定されない。例えば、測定光と第１参照光との光路長差と、測定光と第２参照光との光路長差と、はそれぞれを独立に調整可能な構成であってもよい。この場合には、ＯＣＴ光学系１００における第１参照光路１１０ａにも、第２参照光路１１０ｂと同様に光学部材１１２を配置してもよい。例えば、制御部７０は、それぞれの参照光路に設けられた光学部材１１２を移動させ、参照光の光路長を調整することで、光路長調整を行うようにしてもよい。
【０１５４】
また、例えば、ポラライザ調整を行う場合、制御部７０は、第１偏光調整部３００と第２偏光調整部３０２とを調整することにより、偏光状態を変更してもよい。なお、本実施例におけるＯＣＴ光学系１００では、第１偏光調整部３００が第１参照光路１１０ａに配置され、第２偏光調整部３０２が第２参照光路１１０ｂに配置されている。このため、制御部７０は、第１偏光調整部３００を調整することによって、測定光と第１参照光との偏光状態を調整することができる。また、制御部７０は、第２偏光調整部３０２を調整することによって、測定光と第２参照光との偏光状態を調整することができる。
【０１５５】
なお、本実施例では、撮影条件の調整としてフォーカス調整のみを行っているが、撮影条件の調整として光路長調整のみ、あるいはポラライザ調整のみを行ってもよい。もちろん、これらが組み合わせて調整されてもよい。例えば、この場合、共通の部材を駆動させる調整（すなわち、光路長調整とフォーカス調整の少なくともいずれか）と、独立の部材を駆動させる調整（すなわち、ポラライザ調整）と、を行うときには、先に共通の部材を駆動させる調整を行い、後に独立の部材を駆動させる調整を行うようにしてもよい。これによって、第１ＯＣＴデータと第２ＯＣＴデータの双方を同時に調整したうえで、さらにそれぞれのＯＣＴデータに対して微調整を行うことができ、より最適な撮影条件を設定できる。
【０１５６】
なお、撮影条件の調整は、光路長調整、フォーカス調整、及びポラライザ調整の他、参照光の光量、被検眼Ｅの前眼部アライメント機構、被検眼Ｅのスキャン位置、分散補正部材、等を調整することにより行われてもよい。すなわち、撮影条件の調整は、被検眼Ｅの撮影に係る光学部材を調整することにより行われてもよい。
【０１５７】
なお、本実施例では、フォーカスレンズ１５５を一方向に移動させる構成を例に挙げて説明したがこれに限定されない。例えば、制御部７０は、フォーカスレンズ１５５の移動にともなって連続的に取得される各ＯＣＴデータの評価値に基づいて、フォーカスレンズ１５５を同一方向に移動させるか否かを判定してもよい。例えば、このような判定は、フォーカスレンズ１５５の初期位置が移動限界位置とは異なる位置であった場合等に行われてもよい。
【０１５８】
例えば、制御部７０は、フォーカスレンズ１５５の移動位置Ｋｎにて取得した各ＯＣＴデータの評価値Ｂ１ｎ及びＢ２ｎと、フォーカスレンズ１５５の移動位置Ｋｎ＋１にて取得した各ＯＣＴデータの評価値Ｂ１ｎ＋１及びＢ２ｎ＋１と、をそれぞれ比較する。例えば、制御部７０は、第１ＯＣＴデータ３６０における評価値Ｂ１と、第２ＯＣＴデータ３７０における評価値Ｂ２と、の双方が増加した場合（すなわち、評価値がＢ１ｎ＜Ｂ１ｎ＋１且つＢ２ｎ＜Ｂ２ｎ＋１となった場合）には、フォーカスレンズ１５５を同一方向へと移動させてもよい。つまり、制御部７０は、フォーカスレンズ１５５を同一方向へと移動させることで、各ＯＣＴデータにおける評価値がさらに改善されると判定し、フォーカスレンズ１５５の移動方向を同一方向と決定してもよい。
【０１５９】
また、例えば、制御部７０は、第１ＯＣＴデータ３６０における評価値Ｂ１と、第２ＯＣＴデータ３７０における評価値Ｂ２と、の双方が減少した場合には、フォーカスレンズ１５５を逆方向へと移動させてもよい。つまり、制御部７０は、フォーカスレンズ１５５を同一方向へと移動させても、各ＯＣＴデータにおける評価値は改善されないと判定し、フォーカスレンズ１５５の移動方向を逆方向と決定してもよい。
【０１６０】
例えば、上記のような判定は、フォーカスレンズ１５５の移動に限らず、光路長調整やポラライザ調整に対して行われてもよい。すなわち、制御部７０は、カップラ１５３とコリメータレンズ１５４を一体的に移動させることにより連続的に取得される各ＯＣＴデータの評価値に基づいて、カップラ１５３及びコリメータレンズ１５４を同一方向に移動させるか否かを判定してもよい。また、例えば、制御部７０は、第１偏光調整部３００と第２偏光調整部３０２とを調整することにより連続的に取得される各ＯＣＴデータの評価値に基づいて、これらの調整部を同一方向に移動させるか否かを判定してもよい。
【０１６１】
なお、本実施例では、各ＯＣＴデータにおける評価値Ｂ１と評価値Ｂ２との差の絶対値が最小となるように、撮影条件を調整する構成を例に挙げて説明したがこれに限定されない。例えば、撮影条件は、第１ＯＣＴデータと第２ＯＣＴデータとの互いの評価値が一定の比率となるように調整されてもよい。また、例えば、第１ＯＣＴデータと第２ＯＣＴデータの輝度値は必ずしも同一（略同一）である必要はなく、いずれか一方の評価値が高くなるように撮影条件が調整されてもよい。すなわち、第１ＯＣＴデータ及び第２ＯＣＴデータを取得するための撮影条件は、検者が観察したい撮影部位等に応じて、適宜変更可能であってもよい。
【０１６２】
なお、本実施例では、被検眼Ｅの眼底中心部と眼底周辺部において、輝度値やコントラスト値を用いて撮影条件を調整しているがこれに限定されない。例えば、眼底中心部を含む第１ＯＣＴデータのうち、検者が観察したい特定の部位の輝度値が高くなるように、撮影条件が調整されてもよい。例えば、この場合、撮影条件は、被検眼Ｅにおける網膜の輝度値が高くなるように調整されてもよい。また、例えば、この場合、撮影条件は、被検眼Ｅにおける脈絡膜の輝度値が高くなるように調整されてもよい。もちろん、眼底周辺部を含む第２ＯＣＴデータのうち、検者が観察したい特定の部位の輝度値が高くなるように、撮影条件が調整されてもよい。
【０１６３】
なお、本実施例においては、広角領域（例えば、１８ｍｍ以上）を撮像するＯＣＴ装置を用いる構成を例に挙げて説明したがこれに限定されない。例えば、１８ｍｍよりも狭い領域を撮像するＯＣＴ装置において、上記で説明したような撮影条件の調整を行ってもよい。例えば、この場合には、強度近視眼の眼底中心部と眼底周辺部を含む眼底領域を撮像する際に適用されてもよい。また、例えば、この場合には、被検眼Ｅの乳頭を撮像する際に適用されてもよい。
【０１６４】
なお、上記では被検眼Ｅを撮影するためのＯＣＴ装置を例に挙げて説明したがこれに限定されない。例えば、被検物のＯＣＴデータを撮影するためのＯＣＴ装置において、本実施形態が適用されてもよい。例えば、被検物は、眼、皮膚、血管等の生体であってもよいし、樹脂体等の生体以外の試料であってもよい。
【符号の説明】
【０１６５】
７０  制御部
７２  メモリ
１００  ＯＣＴ光学系
１１０  参照光学系
１２０  検出器
１５０  導光光学系
２００  ＦＰＮ光学系
３００、３０２、３０４  偏光調整部
【図１】
2019080804.tif 000003
【図２】
2019080804.tif 000004
【図３】
2019080804.tif 000005
【図４】
2019080804.tif 000006
【図５】
2019080804.tif 000007
【図６】
2019080804.tif 000008
【図７】
2019080804.tif 000009
【図８】
2019080804.tif 000010
【図９】
2019080804.tif 000011
【図１０】
2019080804.tif 000012
【図１１】
2019080804.tif 000013
【図１２】
2019080804.tif 000014